(57)【特許請求の範囲】
【請求項１】
断熱区画された貯蔵室と、前記貯蔵室内にミストを噴霧させる霧化部とを有し、前記霧化部に付着させた水分を微細化して前記貯蔵室にミストとして噴霧するものであって、前記霧化部の霧化状態を判定する霧化状態判定手段と、前記霧化状態判定手段が動作するタイミングを設定する判定タイミング設定手段とを備え、前記判定タイミング設定手段からの信号によって前記霧化状態判定手段が前記霧化部の霧化状態を判定し、前記霧化状態判定手段によって判定した信号によって前記霧化部の動作を制御する冷蔵庫。
【請求項２】
前記霧化状態判定手段によって検出した信号が、あらかじめ決められた規定範囲に入っている場合に前記霧化部において適正な噴霧が行われていると判定し、前記規定範囲外の場合に適正な霧化が行われていないと判定する請求項１に記載の冷蔵庫。
【請求項３】
前記霧化部は、電位差を発生させる電圧印加部と出力検出手段とを有し、前記霧化状態判定手段は、前記出力検出手段で検出された前記電圧印加部に印加されている印加電流の信号によって前記霧化部の霧化状態を判定する請求項１または請求項２に記載の冷蔵庫。
【請求項４】
前記霧化部は、電位差を発生させる電圧印加部と出力検出手段とを有し、前記霧化状態判定手段は、前記出力検出手段で検出された前記電圧印加部に印加されている印加電圧の信号によって前記霧化部の霧化状態を判定する請求項１または請求項２に記載の冷蔵庫。
【請求項５】
前記霧化状態判定手段で前記霧化部において適正な噴霧が行われていないと判定した時に、前記電圧印加部への通電を停止する請求項３または請求項４に記載の冷蔵庫。
【請求項６】
前記霧化状態判定手段によって適正な霧化が行われていないと判定された後、一定時間以上を経過すると、再度、前記霧化状態判定手段によって霧化状態判定を行う請求項５に記載の冷蔵庫。
【請求項７】
前記判定タイミング設定手段は、前記冷蔵庫の前記霧化部を備えた前記貯蔵室内の環境が変わることが推定される場合に、前記霧化状態判定手段へ前記霧化部の霧化状態を判定する判定タイミングを設定する請求項１から請求項６のいずれか一項に記載の冷蔵庫。
【請求項８】
前記判定タイミング設定手段は、断熱区画された前記貯蔵室への風量を調整するダンパであって、前記ダンパが開から閉、又は、閉から開の動作を行った場合に、前記霧化状態判定手段が前記霧化部の霧化状態を判定する請求項１から請求項７のいずれか一項に記載の冷蔵庫。
【請求項９】
前記判定タイミング設定手段は、前記貯蔵室を冷却するための圧縮機であって、前記圧縮機がＯＮからＯＦＦ、又は、ＯＦＦからＯＮの動作を行った場合に、前記霧化状態判定手段が前記霧化部の霧化状態を判定する請求項１から請求項７のいずれか一項に記載の冷蔵庫。
【請求項１０】
冷蔵庫本体の外気温度を検出する外気温度検出手段を備え、前記外気温度検出手段で検出した外気温によって前記判定タイミング設定手段を変更する請求項１から請求項７のいずれか一項に記載の冷蔵庫。
【請求項１１】
前記外気温度検出手段で検出した外気温が所定温度以上では、断熱区画された前記貯蔵室への風量を調整するダンパの開から閉、又は、閉から開の動作を前記判定タイミング設定手段の判定タイミングとして、前記霧化状態判定手段が前記霧化部の霧化状態を判定する請求項１０に記載の冷蔵庫。
【請求項１２】
前記外気温度検出手段で検出した外気温が所定温度以下では、前記貯蔵室を冷却するための圧縮機のＯＮからＯＦＦ、又は、ＯＦＦからＯＮの動作を前記判定タイミング設定手段の判定タイミングとして前記霧化状態判定手段が前記霧化部の霧化状態を判定する請求項１０に記載の冷蔵庫。
【発明の詳細な説明】
【技術分野】
【０００１】
本発明は、野菜などを収納する貯蔵室空間に霧化装置を設置した冷蔵庫に関するものである。
【背景技術】
【０００２】
野菜の鮮度低下に対する影響因子としては、温度、湿度、環境ガス、微生物、光などが挙げられる。野菜は生き物であり、野菜表面では呼吸と蒸散作用が行われ、鮮度を維持するには呼吸と蒸散作用の抑制が必要となる。低温障害をおこす一部の野菜を除き、多くの野菜は低温で呼吸が抑制され、高湿により蒸散防止できる。
【０００３】
近年、家庭用冷蔵庫では野菜の保存を目的とし、密閉された野菜専用容器が設けられ、野菜を適正な温度に冷却するとともに、庫内を高湿化するなど野菜の蒸散を抑制するよう制御している。ここで、庫内の高湿化手段として、ミストを噴霧するものがある。
【０００４】
従来の、この種のミスト噴霧機能を備えた冷蔵庫としては、野菜室内が低湿時に超音波霧化装置にてミストを生成噴霧、野菜室内を加湿、野菜の蒸散を抑制しているものである（例えば、特許文献１参照）。
【０００５】
図１３は、特許文献１に開示された従来の冷蔵庫の野菜室を左右に切断した縦断面を示す要部縦断面図である。また、図１４は、同従来の冷蔵庫の野菜室に設けた超音波霧化装置の要部を示す拡大斜視図である。
【０００６】
図１３に示すように、野菜室２１は冷蔵庫本体２０の本体ケース２６の下部に設けられ、その前面開口は開閉自在に引き出される引出し扉２２により閉止されるようになっている。また、野菜室２１は仕切板２によりその上方の冷蔵室（図示せず）と仕切られている。
【０００７】
引出し扉２２の内面に固定ハンガ２３が固定され、この固定ハンガ２３に野菜等の食品を収納する野菜容器１が搭載されている。野菜容器１の上面開口は蓋体３により封止されるようになっている。野菜容器１の内部には解凍室４が設けられ、解凍室４には超音波霧化装置５が備えられている。
【０００８】
また、図１４に示すように、超音波霧化装置５には霧吹出し口６と貯水容器７と湿度センサ８とホース受け９が備えられている。貯水容器７は、ホース受け９により除霜水ホース１０に接続されている。除霜水ホース１０には、その一部に除霜水を清浄するための浄化フィルター１１が備えられている。
【０００９】
以上のように構成された冷蔵庫において、以下その動作について説明する。
【００１０】
熱交換冷却器（図示せず）より冷却された冷却空気は、野菜容器１及び蓋体３の外面を流通することで、野菜容器１が冷却され、内部に収納された食品が冷やされる。また、冷蔵庫運転時に冷却器１１２から発生する除霜水は除霜水ホース１０を通過する時に浄化フィルター１１によって浄化されて、超音波霧化装置５の貯水容器７に供給される。
【００１１】
次に湿度センサ８によって、庫内湿度が９０％以下と検出されると、超音波霧化装置５が加湿を開始し、野菜容器１内の野菜等を新鮮に保持するための適度な湿度に調湿することができる。
【００１２】
一方、湿度センサ８によって庫内湿度が９０％以上であると検出された場合、超音波霧化装置５は過度な加湿を停止する。その結果、超音波霧化装置５により、野菜室２１内をすばやく加湿することができ、野菜室２１内は常に高湿度となり、野菜等の蒸散作用が抑制され、野菜等の鮮度を保持することができる。
【００１３】
また、特許文献２にはオゾン水ミスト装置を設けた冷蔵庫が開示されている。
【００１４】
特許文献２に開示された冷蔵庫は、野菜室の近傍にオゾン発生体、排気口、水道直結の水供給経路、およびオゾン水供給経路を有している。オゾン水供給経路は野菜室に導かれている。オゾン発生体は水道直結の水供給部に連結している。また、排気口はオゾン水供給経路に連結するよう構成されている。また、野菜室内には超音波素子が備えられている。
【００１５】
上記の構成において、オゾン発生体で発生したオゾンは水と接触させて処理水としてのオゾン水にする。生成したオゾン水は冷蔵庫の野菜室に導かれ、超音波振動子により霧化され、野菜室に噴霧される。
【特許文献１】特開平６−２５７９３３号公報
【特許文献２】特開２０００−２２０９４９号公報
【発明の開示】
【発明が解決しようとする課題】
【００１６】
しかしながら、上記従来の構成では、一般に湿度センサで検知した庫内湿度によって霧化装置の運転と停止の制御を行っており、この手段では、実際の霧化装置での霧化状態を判定することはできず、そのため、精度や応答性の性能がやや欠ける部分があり、特に冷蔵庫の貯蔵室内といった略密閉かつ低温空間において、噴霧量が過剰となると野菜等が水腐れを起こし庫内が結露するという課題があり、また、噴霧量が少ないと、貯蔵室内への十分な加湿を行うことができず、野菜等の鮮度保持を行うことができないという課題を有していた。
【００１７】
本発明は、霧化部を備えてミストを噴霧することで鮮度保持力を向上させる冷蔵庫において、より適切な噴霧量で効率よく霧化が行える冷蔵庫を提供することを目的とする。
【課題を解決するための手段】
【００１８】
上記従来の課題を解決するために、断熱区画された貯蔵室と、貯蔵室内にミストを噴霧させる霧化部とを有し、前記霧化部に付着させた水分を微細化して前記貯蔵室にミストとして噴霧するものであって、前記霧化部の霧化状態を判定する霧化状態判定手段を備え、前記霧化状態判定手段によって判定した信号によって前記霧化部の動作を制御するものである。
【００１９】
これによって、霧化部の霧化状態を的確に把握した上で、霧化部の動作を制御することによって、適切な霧化を実現することができる。
【発明の効果】
【００２０】
本発明の冷蔵庫は、適切な霧化を実現することができることにより、霧化装置を備えた冷蔵庫の品質をより向上させることができる。
【発明を実施するための最良の形態】
【００２１】
請求項１に記載の発明は、断熱区画された貯蔵室と、貯蔵室内にミストを噴霧させる霧化部とを有し、前記霧化部に付着させた水分を微細化して前記貯蔵室にミストとして噴霧するものであって、前記霧化部の霧化状態を判定する霧化状態判定手段を備え、前記霧化状態判定手段によって判定した信号によって前記霧化部の動作を制御することにより、霧化部の霧化状態を的確に把握した上で、霧化部の動作を制御することによって、適切な霧化を実現することができるので霧化装置を備えた冷蔵庫の品質をより向上させることができる。
【００２２】
また、霧化状態を判定することで冷蔵庫にとって異常な霧化を防ぎ、常に適切な噴霧量の霧化が行えるので、霧化装置の動作による貯蔵室内の温度上昇抑制や消費電力の低減、省エネルギーが可能となる。
【００２３】
請求項２に記載の発明は、請求項１に記載の冷蔵庫において、霧化状態判定手段によって検出した信号が、あらかじめ決められた規定範囲に入っている場合は霧化部において適正な噴霧が行われていると判定し、前記規定範囲外の場合には適正な霧化が行われていないと判定することで、適正な状態時にのみ、霧化部を継続動作させることが可能となり、霧化装置の誤動作の防止や故障検知、過剰噴霧防止や、霧化装置の動作による貯蔵室内の温度上昇抑制、さらに消費電力が低減できる。
【００２４】
請求項３に記載の発明は、請求項１または請求項２に記載の冷蔵庫において、霧化部が、電位差を発生させる電圧印加部と出力検出手段とを有し、霧化状態判定手段が、前記出力検出手段で検出された前記電圧印加部に印加されている印加電流の信号によって前記霧化部の霧化状態を判定するものであって、印加電流があらかじめ決められた規定範囲に入っていることを検出した場合のみ、適正な霧化が行われると判定し、その運転を継続させることにより、貯蔵室に対して、的確なミスト噴霧の判定が可能になり、保鮮などの品質を向上させるとともに、無駄な通電を行うこともないので、消費電力低減ができる。
【００２５】
請求項４に記載の発明は、請求項１または請求項２に記載の発明の冷蔵庫において、霧化部が、電位差を発生させる電圧印加部と出力検出手段とを有し、霧化状態判定手段が、前記出力検出手段で検出された電圧印加部に印加されている印加電圧の信号によって前記霧化部の霧化状態を判定することにより、貯蔵室に対して、的確なミスト噴霧の判定が可能になり、保鮮などの品質を向上させるとともに、霧化部に対し無駄な通電を行うこともないので、消費電力低減ができる。
【００２６】
請求項５に記載の発明は、請求項３または請求項４に記載の発明の冷蔵庫において、霧化状態判定手段で前記霧化部において適正な噴霧が行われていないと判定した時に、電圧印加部への通電を停止することで、霧化部において適切な噴霧を維持することが可能となり、余分な消費電力を低減することができる。
【００２７】
また、過剰噴霧状態になっても、電圧印加部の高電圧の停止を行うので、貯蔵室内に結露が付着することを防止し、さらに保鮮などの品質を確保することができる。
【００２８】
請求項６に記載の発明は、請求項５に記載の発明の冷蔵庫において、霧化状態判定手段によって適正な霧化が行われていないと判定された後、一定時間以上を経過すると、再度、霧化状態判定手段によって霧化状態判定を行うことで、霧化部に水がある時は、水がなくなるまで前記電圧印加部の高電圧の動作を行うことで、噴霧効率を更に向上させることができる。
【００２９】
また、水がなくなると、電圧印加部の高電圧の停止を行うことで、次の検出タイミング後まで、前記電圧印加部の高電圧の停止を行うので余分な消費電力を更に低減することができる。
【００３０】
請求項７に記載の発明は、請求項１から請求項６のいずれか一項に記載の発明の冷蔵庫に加えて、霧化状態判定手段が動作するタイミングを設定する判定タイミング設定手段を有し、前記判定タイミング設定手段からの信号によって、前記霧化状態判定手段が霧化部の霧化状態を判定し、前記霧化状態判定手段によって判定した信号によって前記霧化部の動作を制御することで、タイミング設定手段によって無駄なく的確なタイミングで繰り返し霧化状態の判定を行った上で、その結果を霧化部の動作に反映するといった霧化状態のフィードバック制御を行うことにより霧化部の噴霧精度を向上させ、適切な噴霧量のミスト噴霧を実現することができる。
【００３１】
請求項８に記載の発明は、請求項７に記載の発明の冷蔵庫において、判定タイミング設定手段が、冷蔵庫の霧化部を備えた貯蔵室内の環境が変わることが推定される場合に、霧化状態判定手段へ霧化部の霧化状態を判定する判定タイミングを設定するものであって、冷蔵庫の貯蔵室特有の環境の変化（例えば風の流れが変わる時や温度変化が生じる時等）を事前に推測して、より的確なタイミングで霧化状態の判定を行った上で、その結果を霧化部の動作に反映するといった霧化状態のフィードバック制御を行うことにより、霧化部の噴霧精度を向上させ、適切な噴霧量のミスト噴霧を実現することができる。
【００３２】
請求項９に記載の発明は、請求項７または請求項８に記載の発明において、判定タイミング設定手段が、断熱区画された貯蔵室への風量を調整するダンパであって、前記ダンパが開から閉、又は、閉から開の動作を行った場合に、霧化状態判定手段が霧化部の霧化状態を判定することにより、冷蔵庫の貯蔵室特有の環境の変化の中でも特に霧化部周辺の結露や乾燥を支配する冷気の流れが変わると推定されるダンパの挙動を判定タイミングとすることにより、的確なタイミングで、霧化部の結露状態、噴霧状態を把握でき、その霧化部の噴霧判定の精度を向上することができる。
【００３３】
請求項１０に記載の発明は、請求項７または請求項８に記載の発明において、判定タイミング設定手段が、貯蔵室を冷却するための圧縮機であって、前記圧縮機がＯＮからＯＦＦ、又は、ＯＦＦからＯＮの動作を行った場合に、霧化状態判定手段が霧化部の霧化状態を判定することで、冷蔵庫の貯蔵室特有の環境の変化の中でも特に霧化部周辺の冷気の温度状態が変わると推定される圧縮機の動作を判定タイミングとして霧化状態の判定を行うことで、的確なタイミングで、霧化部の結露状態、噴霧状態を把握でき、その霧化部の噴霧判定の精度を向上した上で、その結果を霧化部の動作に反映するといった霧化状態のフィードバック制御を行うことにより、霧化部の噴霧精度を向上させ、適切な噴霧量のミスト噴霧を実現することができる。
【００３４】
請求項１１に記載の発明は、請求項７または請求項８に記載の発明に加えて、冷蔵庫本体の外気温度を検出する外気温度検出手段を備え、前記外気温度検出手段で検出した外気温によって判定タイミング設定手段を変更するものであり、外気温度の影響をも加味して、さらに冷蔵庫の設置条件の変動があった場合でも、適切かつ的確なタイミングで、霧化部の結露状態、噴霧状態を把握でき、その霧化部の噴霧判定の精度を向上することができる。
【００３５】
請求項１２に記載の発明は、請求項１１に記載の発明において、外気温度検出手段で検出した外気温が所定温度以上では、断熱区画された貯蔵室への風量を調整するダンパの開から閉、又は、閉から開の動作を判定タイミング設定手段の判定タイミングとして、霧化状態判定手段が霧化部の霧化状態を判定するものであり、これによって、外気温が比較的高い場合には、圧縮機がＯＦＦ状態になる頻度が少なく、ＯＮ状態で動作し続けることが多いので、主にダンパが開から閉、又は、閉から開の動作を行った場合に、霧化状態判定手段が霧化部の霧化状態を判定し、判定した結果を霧化部の動作へと反映することによって、外気温度の影響をも加味して、さらに冷蔵庫の設置条件の変動があった場合等の冷蔵庫の実運転状態を考慮し、より適切かつ的確なタイミングで、霧化部の結露状態、噴霧状態を把握した上で、霧化部の動作すなわち霧化装置のＯＮ／ＯＦＦを制御することができ、霧化部の噴霧判定の精度を向上することができる。
【００３６】
請求項１３に記載の発明は、請求項１１に記載の発明において、外気温度検出手段で検出した外気温が所定温度以下では、貯蔵室を冷却するための圧縮機のＯＮからＯＦＦ、又は、ＯＦＦからＯＮの動作を判定タイミング設定手段の判定タイミングとして霧化状態判定手段が霧化部の霧化状態を判定するものであり、これによって外気温度が比較的低い場合には、ダンパの開閉率が大幅に減少し、閉塞状態が多くなるので、主に圧縮機がＯＮからＯＦＦ、又は、ＯＦＦからＯＮの動作を行った場合に、霧化状態判定手段が霧化部の霧化状態を判定し、判定した結果を霧化部の動作へと反映することによって、冷蔵庫の実運転状態を考慮し、より適切かつ的確なタイミングで霧化部の結露状態、噴霧状態を把握した上で、霧化部の動作すなわち霧化装置のＯＮ／ＯＦＦを制御することができ、霧化部の噴霧判定の精度を向上することができる。
【００３７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３８】
（実施の形態１）
図１は、本発明の実施の形態１における冷蔵庫を左右に切断した場合の左側の縦断面を示す縦断面図である。図２は、同実施の形態の冷蔵庫における野菜室とその周辺部の扉を外して見た場合の要部正面図である。図３は、図２のＡ−Ａ線断面図である。図４は、同実施の形態における冷蔵庫の機能ブロック図である。図５（ａ）は、同実施の形態の冷蔵庫における静電霧化装置の放電電圧と放電電流との関係を示す特性図であり、図５（ｂ）は放電電流値と出力検出手段との関係と霧化部の状態との相関を示す特性図である。図６は、同実施の形態の冷蔵庫の動作の一例を示すタイミングチャートである。図７は、同実施の形態の冷蔵庫の制御の一例を示すフローチャートである。
【００３９】
図１から図７において、冷蔵庫１００の断熱箱体１０１は、主に鋼板を用いた外箱１０２と、ＡＢＳなどの樹脂で成型された内箱１０３と、外箱１０２と内箱１０３との間の空間に充填発泡される例えば硬質発泡ウレタンなどの発泡断熱材とからなり、周囲と断熱し、複数の貯蔵室に区分されている。
【００４０】
最上部に第一の貯蔵室としての冷蔵室１０４が設けられ、その冷蔵室１０４の下部に左右に並んで第四の貯蔵室としての切換室１０５と第五の貯蔵室としての製氷室１０６が横並びに設けられ、その切換室１０５と製氷室１０６の下部に第二の貯蔵室としての野菜室１０７が設けられ、そして最下部に第三の貯蔵室としての冷凍室１０８が配置される構成となっている。
【００４１】
冷蔵室１０４は、冷蔵保存のために凍らない温度を下限に通常１℃〜５℃とし、野菜室１０７は、冷蔵室１０４と同等もしくは若干高い温度設定の２℃〜７℃としている。冷凍室１０８は、冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵温度帯、２℃〜７℃で設定される野菜用温度帯、通常−２２℃〜−１５℃で設定される冷凍温度帯以外に、冷蔵温度帯から冷凍温度帯の間で予め設定された温度帯に切換えることができる。切換室１０５は製氷室１０６に並設された独立扉を備えた貯蔵室であり、引出し式の扉を備えることが多い。
【００４２】
なお、本実施の形態では、切換室１０５を、冷蔵、冷凍の温度帯までを含めた貯蔵室としているが、冷蔵は、冷蔵室１０４、野菜室１０７、冷凍は、冷凍室１０８に委ねて、冷蔵と冷凍の中間の上記温度帯のみの切換えに特化した貯蔵室としても構わない。また、特定の温度帯に固定された貯蔵室でもかまわない。
【００４３】
製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００４４】
断熱箱体１０１の天面部は、冷蔵庫１００の背面方向に向かって階段状に凹みを設けた形状であり、この階段状の凹部に機械室１０１ａを形成して圧縮機１０９、水分除去を行うドライヤ（図示せず）等の冷凍サイクルの高圧側構成部品が収容されている。すなわち、圧縮機１０９を配設する機械室１０１ａは、冷蔵室１０４内の最上部の後方領域に食い込んで形成されることになる。
【００４５】
手が届きにくくデッドスペースとなっていた断熱箱体１０１の最上部の貯蔵室（冷蔵室１０４）後方領域に機械室１０１ａを設けて圧縮機１０９を配置することにより、従来の冷蔵庫では、断熱箱体１０１の最下部にあった機械室のスペースを貯蔵室容量として有効に転化することができ、使用者が使いやすい収納性や使い勝手を大きく改善することができる。
【００４６】
なお、本実施の形態における、以下に述べる発明の要部に関する事項は、従来一般的であった断熱箱体１０１の最下部の貯蔵室後方領域に機械室を設けて、そこに圧縮機１０９を配置するタイプの冷蔵庫に適用しても構わない。
【００４７】
野菜室１０７と冷凍室１０８の背面には冷気を生成する冷却室１１０が設けられ、野菜室１０７と冷却室１１０の間もしくは冷凍室１０８と冷却室１１０との間には、断熱性を有する各室への冷気の搬送風路と、各室と断熱区画するために構成された奥面仕切壁１１１が構成されている。
【００４８】
冷却室１１０内には、冷却器１１２が配設されており、冷却器１１２の上部空間には強制対流方式により冷却器１１２で冷却した冷気を冷蔵室１０４、切換室１０５、製氷室１０６、野菜室１０７、冷凍室１０８に送風する冷却ファン１１３が配置され、冷却器１１２の下部空間には、冷却時に冷却器１１２やその周辺に付着する霜や氷を除霜するためのガラス管製のラジアントヒータ１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００４９】
野菜室１０７には、野菜室１０７の引出し扉１１８に取り付けられたフレームに載置された下段収納容器１１９と、下段収納容器１１９の上に載置された上段収納容器１２０が配置されている。
【００５０】
引出し扉１１８が閉ざされた状態で主に上段収納容器１２０を略密閉するための蓋体１２２が、野菜室１０７の上部に備えられた第一の仕切壁１２３及び内箱１０３に保持されている。引出し扉１１８が閉ざされた状態で蓋体１２２と上段収納容器１２０の上面の左右辺、奥辺が密接し、上面の前辺は略密接している。さらに、上段収納容器１２０の背面の左右下辺と下段収納容器１１９の境界部は、上段収納容器１２０が稼働する上で接触しない範囲で食品収納部の湿気が逃げないよう隙を詰めている。
【００５１】
蓋体１２２と第一の仕切壁１２３の間には、奥面仕切壁１１１に構成された野菜室１０７用の吐出口１２４から吐出された冷気の風路が設けられている。また、下段収納容器１１９と下段収納容器１１９の下の第二の仕切壁１２５との間にも空間が設けられ冷気風路を構成している。野菜室１０７の背面側に備えられた奥面仕切壁１１１の下部には、野菜室１０７内を冷却し熱交換された冷気が冷却器１１２に戻るための野菜室１０７用の吸込口１２６が設けられている。
【００５２】
なお、本実施の形態における、以下に述べる発明の要部に関する事項は、従来一般的であった扉に取り付けられたフレームと内箱に設けられたレールにより開閉するタイプの冷蔵庫に適用しても構わない。
【００５３】
奥面仕切壁１１１は、ＡＢＳなどの樹脂で構成された奥面仕切り部表面１５１と風路や冷却室１１０を隔離、断熱性を確保するための発泡スチロールなどで構成された断熱材１５２で構成されている。ここで、奥面仕切壁１１１の貯蔵室内側の壁面の一部に他の箇所より低温になるように凹部を設け、その箇所にミストを噴霧させる霧化部１３９を有する霧化装置である静電霧化装置１３１が埋設されている。
【００５４】
また、断熱材１５２に設けられた風路には、各貯蔵室を冷却する冷気を調整するためのダンパ１４５が埋設されている。
【００５５】
静電霧化装置１３１は、主に霧化部１３９、電圧印加部１３３、外郭ケース１３７で構成され、外郭ケース１３７の一部には、噴霧口１３２と湿度供給口１３８が構成されている。霧化部１３９には霧化電極１３５が設置され、霧化電極１３５はアルミニウムやステンレスなどの良熱伝導部材である冷却ピン１３４に熱的に直接的または間接的に固定されている。
【００５６】
冷却ピン１３４は、外郭ケース１３７に固定され、冷却ピン１３４自体は外郭から突出して構成されている。また、霧化電極１３５に対向している位置で貯蔵室側にドーナツ円盤状の対向電極１３６が、霧化電極１３５の先端と一定距離を保つように取付けられ、その延長上に噴霧口１３２が構成されている。
【００５７】
さらに、霧化部１３９の近傍に電圧印加部１３３が構成され、高電圧を発生する電圧印加部１３３の負電位側が霧化電極１３５と、正電位側が対向電極１３６とそれぞれ電気的に接続されている。たとえば、霧化電極１３５には基準電位であるグランド（０Ｖ）、対向電極１３６には４〜１０ｋＶの高電圧が印加されている。
【００５８】
電圧印加部１３３は、冷蔵庫１００の制御手段１４６と通信／制御され、冷蔵庫１００の制御手段１４６の入力信号によって、高電圧のＯＮ／ＯＦＦを行うことで、霧化装置である静電霧化装置１３１の動作を制御する。
【００５９】
制御手段１４６は、冷蔵庫１００の周囲温度を検知する外気温度検出手段１４８と、時間をカウントするタイマー１５７と、冷蔵庫１００の貯蔵室内（冷蔵室１０４、野菜室１０７、冷凍室１０８など）の庫内温度を検出する庫内温度検出手段１５０と、冷却量や風の流れを調節するダンパ１４５から信号を入力し、静電霧化装置１３１の動作／停止や貯蔵室の温度調節や庫内表面の結露を防止するための結露防止ヒータ１５５の動作／停止の判断する制御を備えている。
【００６０】
また、制御手段１４６では、電圧印加部１３３の高電圧を印加、又は高電圧の停止の動作信号を出力し、その信号により、電圧印加部１３３に高電圧が印加状態、又は高電圧が停止状態となる。その状態時に、電圧印加部１３３に接続された霧化電極１３５と対向電極１３６との間に流れる電流値（放電電流）又は、印加される電圧値（放電電圧）を検出して、アナログ信号もしくはデジタル信号として、出力検出手段１５８に入力する。
【００６１】
そして、その入力信号をもとに、霧化状態判定手段１５６で、正常動作状態（霧化発生状態、水がない状態、過剰結露状態等）、又は異常動作状態（回路故障、霧化電極１３５の凍結等）を判定し、電圧印加部１３３への高電圧を印加、又は高電圧の停止を判断するフィードバック制御を備えている。
【００６２】
なお、静電霧化装置１３１を固定している奥面仕切り部表面１５１には、貯蔵室の温度調節をする、もしくは表面の結露を防止するための結露防止ヒータ１５５が奥面仕切り部表面１５１と断熱材１５２の間に設置されている。冷却器１１２の前方にはカバー１５３があり、野菜室１０７の奥ではカバー１５３と奥面仕切壁１１１との間に冷凍室１０８の吐出風路１４１がある。
【００６３】
以上のように構成された冷蔵庫１００について、以下その動作、作用を説明する。
【００６４】
まず、冷凍サイクルの動作について説明する。庫内の設定された温度に応じて制御基板（図示せず）からの信号により冷凍サイクルが動作して冷却運転が行われる。圧縮機１０９の動作により吐出された高温高圧の冷媒は、凝縮器（図示せず）である程度凝縮液化し、さらに冷蔵庫１００の側面や背面、また冷蔵庫１００の前面間口に配設された冷媒配管（図示せず）などを経由し冷蔵庫１００の結露を防止しながら凝縮液化し、キャピラリーチューブ（図示せず）に至る。その後、キャピラリーチューブでは圧縮機１０９への吸入管（図示せず）と熱交換しながら減圧されて低温低圧の液冷媒となって冷却器１１２に至る。
【００６５】
ここで、低温低圧の液冷媒は、冷却ファン１１３の動作により搬送する冷凍室１０８の吐出風路１４１などの各貯蔵室内の空気と熱交換され、冷却器１１２内の冷媒は蒸発気化する。この時、冷却室１１０内で各貯蔵室を冷却するための冷気を生成する。
【００６６】
冷却室１１０内で生成された低温の冷気は、冷却ファン１１３から冷蔵室１０４、切換室１０５、製氷室１０６、野菜室１０７、冷凍室１０８に冷気を風路やダンパ１４５を用いて分流させ、それぞれの目的温度帯に冷却する。
【００６７】
冷蔵室１０４は、冷蔵室１０４に設けた温度センサ（図示せず）により、冷気量をダンパ１４５により調整され、目的温度に冷却されている。特に、野菜室１０７は、冷気の配分や加熱手段（図示せず）などのＯＮ／ＯＦＦ運転により、２℃から７℃になるように調整され、一般的には庫内温度検出手段１５０を持たないものが多い。
【００６８】
野菜室１０７は、冷蔵室１０４を冷却した後、その空気を冷却器１１２に循環させるための冷蔵室戻り風路１４０の途中に構成された野菜室１０７用の吐出口１２４から野菜室１０７に吐出し、上段収納容器１２０や下段収納容器１１９の外周に流し間接的に冷却し、その後、野菜室１０７用の吸込口１２６から再び冷却器１１２に戻る。
【００６９】
奥面仕切壁１１１の比較的高湿度環境である箇所の一部について、断熱材１５２が、他の箇所より壁厚が薄く、特に、冷却ピン１３４の後方の断熱材１５２の厚みは１０ｍｍ以下で構成されている。これにより、奥面仕切壁１１１は凹部が構成され、この箇所に静電霧化装置１３１が取り付けられている。
【００７０】
冷却ピン１３４の背面にある冷凍室１０８の吐出風路１４１には、冷却システムの運転により冷却器１１２で生成し、冷却ファン１１３により−１５〜−２５℃程度の冷気が流れ、風路表面からの熱伝導で冷却ピン１３４が例えば０〜−１０℃程度に冷却される。このとき、冷却ピン１３４は、良熱伝導部材であるため、冷熱を非常に伝えやすく、霧化電極１３５も０〜−１０℃程度に冷却される。
【００７１】
ここで、野菜室１０７は２℃から７℃で、かつ野菜などからの蒸散により比較的高湿状態であるので、霧化電極１３５は露点温度以下となり、噴霧先端部である霧化電極１３５の先端を含め、霧化電極１３５には水が生成、付着する。
【００７２】
水滴が付着した霧化電極１３５に負電圧側、対向電極１３６を正電圧側として、電圧印加部１３３から、この電極間に高電圧（たとえば、霧化電極１３５を０Ｖ（ＧＮＤ）、対向電極１３６を４〜１０ｋＶ）を印加させることで、静電霧化装置１３１の動作を開始する。
【００７３】
このとき霧化電極１３５と対向電極１３６との間でコロナ放電が起こり、霧化電極１３５の噴霧先端部に付着した水滴（本実施の形態では空気中の水分が結露した水滴）が、静電エネルギーにより微細化され、さらに液滴が帯電しているためレイリー分裂により数ｎｍレベルの目視できない電荷をもったナノレベルの微細ミストと、それに付随してオゾンやＯＨラジカル、酸素ラジカルなどが発生する。
【００７４】
電極間に印加する電圧は、４〜１０ｋＶと非常に高電圧であるが、そのときの放電電流値は数μＡレベルであり、入力としては０．５〜１．５Ｗと非常に低入力であり、適正な噴霧が行われている。
【００７５】
このようにして霧化電極１３５で発生したナノレベルの微細ミストが霧化部１３９から噴霧されるとき、イオン風が発生する。このとき、湿度供給口１３８より、新たに高湿な空気が霧化部１３９に流入するため、連続して噴霧することができる。
【００７６】
さらに、発生した微細ミストは、イオン風にのって下段収納容器１１９内に噴霧され、非常に小さい微粒子のため拡散性があり、上段収納容器１２０にも微細ミストは到達する。噴霧される微細ミストは、高圧放電で生成されたため、マイナスの電荷を帯びている。
【００７７】
野菜室１０７内には、青果物である野菜の中でも緑の菜っ葉ものや果物等も保存されており、これらの青果物は蒸散あるいは保存中の蒸散によってより萎れやすいものである。野菜室１０７内に保存されている野菜や果物の中には、通常、購入帰路時での蒸散あるいは保存中の蒸散によってやや萎れかけた状態のものが含まれており、プラスの電荷を持つ。よって、霧化されたミストは、野菜の表面に集まりやすく、これにより保鮮性が向上する。
【００７８】
また、野菜表面に付着したナノレベルの微細ミストは、多数のＯＨラジカルを有することでマイナスの電荷を帯びていることに加え、微量ではあるがオゾンなどを多く含んでおり、抗菌、除菌などに効果があり、貯蔵室に収納された野菜の鮮度保持をより高めることができる。また、他にもマイナスの電荷を帯びたミストが野菜の表面に付着することで、野菜の表面に付着した農薬等の有害物質を浮かしたり、ミスト内へ取り込むことで除去を容易にしたりすることができ、さらに酸化分解による農薬除去効果を奏することができる。また、野菜へミストの刺激を与えることによって、抗酸化作用が起こり、ビタミンＣ量などの栄養素の増加を野菜に促す効果も有する。
【００７９】
冷蔵室１０４は、先述のようにダンパ１４５により目的温度帯になるように制御されている。すなわち、冷蔵室１０４が目的温度より高いとき、ダンパ１４５を開放し、より冷たい冷気を導入することで冷蔵室１０４を冷却する。その動作に応じて、野菜室１０７には冷蔵室１０４を冷却した後の比較的乾いた空気が冷蔵室戻り風路１４０を通して、野菜室１０７用の吐出口１２４から流れ込み、野菜室１０７を冷却する。このように、本実施の形態においては、野菜室１０７にはダンパ１４５を備えず、冷蔵室１０４から冷気が流れ込むことによって、野菜室１０７内が冷却される。
【００８０】
この時、冷却ピン１３４は、野菜室１０７の背面側に断熱材１５２によって区画された−１５〜−２０℃程度の冷気が流れる冷凍室１０８の吐出風路１４１側から断熱材１５２を介して冷却されている。このように、野菜室１０７の温度に対して冷却ピン１３４の温度が非常に低くなるように冷却することによって、冷却ピン１３４には野菜室１０７内の空気中の水分が結露する構造としている。
【００８１】
このとき、野菜室１０７内の環境によっては、霧化電極１３５は過剰に結露していることがありえるが、その場合には、ダンパ１４５で制御されている比較的乾いた冷蔵室１０４からの戻り空気を利用して、霧化電極１３５に過剰に結露した水滴を乾燥させ、適切な結露量にすることで霧化電極１３５を霧化可能な状態に制御する。
【００８２】
一般に、冷蔵室１０４内の冷気に比べて野菜室１０７の冷気は、高湿度であり、冷蔵室１０４から流れ込む冷気は、野菜室１０７内においては比較的乾いた空気である為、本実施の形態では冷蔵室１０４から流れ込む冷気を霧化電極１３５の乾燥に用いている。
【００８３】
このように、冷気の風路において、野菜室１０７より上流に位置する冷蔵室１０４のダンパ１４５の開閉によって、野菜室１０７内の風の流れおよび雰囲気温度や乾燥状態が変化するため、野菜室１０７より上流の風路に備えられたダンパ１４５の開閉は、冷蔵庫１００の貯蔵室特有の環境の変化の中でも特に霧化部１３９周辺の結露や乾燥を支配する冷気の流れが変わると推定されるので、霧化部１３９周辺の結露や乾燥を左右する重要な要素である。
【００８４】
よって、野菜室１０７より上流に位置する冷蔵室１０４のダンパ１４５の開閉動作は、野菜室１０７及び霧化部１３９周辺の環境が変化し、特に霧化部１３９周辺の冷気の流れが変わると予測できる重要なタイミングであるので、本実施の形態では、判定タイミング設定手段としてダンパ１４５を用い、ダンパ１４５が開閉する動作を行ったタイミングで、霧化状態判定手段１５６が霧化部１３９の霧化状態を判定し、適正な霧化が行われているかどうかを判定し、その結果を噴霧部の動作へと反映することで、より噴霧精度を向上させることができる。
【００８５】
このように、タイミング設定手段によって無駄なく的確なタイミングで繰り返し霧化状態の判定を行った上で、その結果を霧化部１３９の動作に反映するといった霧化状態のフィードバック制御を行うことにより霧化部１３９の噴霧精度を向上させ、適切な噴霧量のミスト噴霧を実現することができる。
【００８６】
図４において、具体的な本実施の形態の冷蔵庫１００の動作を説明する。
【００８７】
冷蔵庫１００の運転状態においては、冷蔵庫１００の周囲温度を検出する外気温度検出手段１４８と、貯蔵室内の雰囲気温度を検出する庫内温度検出手段１５０と、それぞれの温度を貯蔵室の温度調整を行うダンパ１４５の開閉動作の信号とが制御手段１４６へ入力される。
【００８８】
制御手段１４６は、予め設定された庫内の温度に応じて、圧縮機１０９が動作して冷却運転が行われるように圧縮機１０９の運転制御を行う。冷却運転が行われると、冷却室１１０で各貯蔵室を冷却するための冷気が生成され、冷却ファン１１３により、各貯蔵室内へ冷気を搬送し、ダンパ１４５の開閉動作により、各貯蔵室を目的温度帯に冷却調整される。
【００８９】
例えば、貯蔵室内の庫内温度検出手段１５０により、庫内温度を検出し、制御手段１４６へ出力する。制御手段１４６では、予め設定された庫内温度に対して高いか低いかを判断し、予め設定された庫内温度に対して高いと判断した場合は、貯蔵室内を冷却するダンパ１４５が開放動作へと移行すると共にダンパ１４５の動作信号（例えば、開放動作＝開信号）を制御手段１４６へ入力する。また、予め設定された庫内温度に対して低いと判断した場合は、貯蔵室内を冷却するダンパ１４５が閉塞動作へと移行すると共にダンパ１４５の動作信号（例えば、閉塞動作＝閉信号）を制御手段１４６へ入力する。
【００９０】
このとき、判定タイミング設定手段であるダンパ１４５が開放動作（開信号）から閉塞動作（閉信号）もしくは、閉塞動作（閉信号）から開放動作（開信号）の動作が行われた時に霧化状態を判断するタイミングと認識して、霧化部１３９の霧化状態の判定を行う目的で、一旦、静電霧化装置１３１の電圧印加部１３３の高電圧を停止した状態で、出力検出手段１５８で出力された電極間に流れる電流（放電電流）又は、印加される電圧（放電電圧）の値を読込み、これを高電圧停止状態の基準値である基準電圧値とし、次に電圧印加部１３３へ高電圧を印加した状態で、出力検出手段１５８で出力された電極間に流れる印加される電圧（放電電圧）の値を読込み、これを高電圧動作状態の動作値である動作電圧値とする。
【００９１】
そして、制御手段１４６では、高電圧停止状態の基準値である基準電圧値から高電圧動作状態の動作値である動作電圧値を差分した差分値をもとに、霧化状態判定手段１５６により霧化状態を判定し、電圧印加部１３３へ高電圧の印加継続の可否判断すなわち霧化部１３９を動作させるか停止させるかの判断を行い、タイマー１５７が初期化される。
【００９２】
霧化状態判定手段１５６は、基準電圧値と動作電圧値との差分値があらかじめ決められた規定範囲（例えば、図５（ｂ）の霧化発生状態（１）の範囲）に入っている場合には、適正なコロナ放電が発生し適正な噴霧が行われている状態と判断し、引き続き電圧印加部１３３へ高電圧の出力を継続すると共に、タイマー１５７を動作させる。
【００９３】
この図５（ｂ）で示した適切な範囲とは、主に霧化先端部に付着している水分量を推定してその水分量が適切な範囲に入っているかどうかを判定しているものであって、付着している水分量の違いによって図５（ｂ）の霧化発生状態（１）、水がない状態（２）、過剰結露状態（３）、オゾン過多状態（４）とに分かれている。
【００９４】
この付着している水分量の推定にあたっては、付着している水分をミスト噴霧させる際に要するエネルギー量の大小によって判断しており、本実施の形態では、静電霧化装置１３１に印加される電圧（放電電圧）の値や静電霧化装置１３１に流れる電流（放電電流）の値でミスト噴霧させる際に要するエネルギー量の大小と付着している水分量との比例関係を利用して霧化先端部に付着している水分量の推定を行っている。なお、図５（ｂ）の霧化装置の異常状態（５），（６）については、霧化先端部に付着している水分量とは関係がなく、安全性を確保する視点での適正範囲外としているものである。
【００９５】
そして、タイマー１５７が所定時間経過後、再び出力検出手段１５８で電極間に印加される電圧（放電電圧）の高電圧動作状態の動作電圧値読込み、制御手段１４６では、高電圧停止状態の基準電圧値から高電圧動作状態の動作電圧値を差分し、その値から霧化状態判定手段１５６で判定を行い、電圧印加部１３３への通電の可否を判定し、霧化部１３９の動作を継続する。
【００９６】
もし、高電圧停止状態の基準電圧値から高電圧動作状態の動作電圧値を差分した値である差分値がある指定の範囲外（例えば、図５（ｂ）の霧化発生状態（１）以外の領域の範囲）であれば、霧化状態判定手段１５６で適正なコロナ放電が発生していないと判断し、制御手段１４６から電圧印加部１３３へ高電圧の停止信号の出力を行うことで、霧化部１３９の動作を停止させることで、霧化部１３９の動作を停止させると共に、タイマー１５７を動作させる。
【００９７】
そして、タイマー１５７が所定時間経過後、再び、電圧印加部１３３へ高電圧の開始信号を出力し、出力検出手段１５８で電極間に流れる電圧もしくは電流の高電圧動作状態の動作電圧値を読込み、制御手段１４６では、高電圧停止状態の基準値から高電圧動作状態の動作電圧値を差分し、その値から霧化状態判定手段１５６で判定を行う。
【００９８】
このとき、タイマー１５７を用いて遅延制御を行い、霧化電極１３５の結露の状態により、静電霧化装置１３１への高電圧印加の通電の可否すなわち霧化部１３９の動作の開始もしくは停止等を制御してもよい。これにより、的確なタイミングで安定して必要な時に適切な量を霧化させることができ、さらに消費電力が低減することもできる。
【００９９】
また、上記の説明においては、出力検出手段１５８によって電極間に印加する電圧を動作値および基準値としたが、出力検出手段１５８では、高電圧停止状態の電極間に流れる電流（放電電流）を基準値である基準電流値とし、高電圧印加状態の動作電流値を動作値である動作電流値としても良く、その場合には基準値と動作値の差分すなわち基準電流値と動作電流値とを差分した差分値をもとに、霧化状態判定手段１５６で判定を行い、電圧印加部１３３への通電の可否を判定し、霧化部１３９の動作を制御することも、もちろん可能である。
【０１００】
また本実施の形態では、霧化電極１３５の過剰結露水を乾燥させるために、ダンパ１４５が開放動作（開信号）の間に流れ込む乾燥した空気を利用すると説明したが、例えば、静電霧化装置１３１の周辺部に過剰結露防止用の結露防止ヒータ１５５を設け、乾燥空気の代わりに結露防止ヒータ１５５を動作させことにより、霧化電極１３５に過剰結露した水滴を確実に乾燥させることも可能である。また、乾燥空気と結露防止ヒータ１５５とを組み合わせて利用することで、より霧化電極１３５の状況を安定させ、適切な噴霧を行うことができる。
【０１０１】
また、ダンパ１４５が閉塞動作（閉信号）の間は、冷却空気が流入しないため、結露防止ヒータ１５５を停止し、貯蔵室内に収納された野菜などからの蒸散により高湿環境となり、霧化電極１３５の先端に結露が生じ、霧化が開始される。
【０１０２】
なお、ダンパ１４５の開閉信号に応じて、結露防止ヒータ１５５を動作制御するように説明したが、外気温度検出手段１４８を用いることにより、外気温度が比較的低温状態では、ダンパ１４５の閉塞動作が多くなり、霧化電極１３５が、過剰結露状態になり易いので、閉塞動作中は、外気温度に応じた通電率を上昇した結露防止ヒータ１５５に加えて動作させることで、外気温度に応じた霧化電極１３５の過剰結露を抑制することも可能である。
【０１０３】
このように、本実施の形態では、霧化状態判定手段１５６は、出力検出手段１５８で検出された電極間に流れる電流（放電電流）または印加される電圧（放電電圧）の値によって霧化部１３９の霧化状態を判定し、その結果を噴霧部１３９の動作すなわち静電霧化装置１３１のＯＮ／ＯＦＦへと反映することにより、貯蔵室に対して、的確なミスト噴霧を行うことが可能になり、保鮮などの品質を向上させるとともに、霧化部１３９に対し無駄な通電を行うこともないので、消費電力低減ができる。
【０１０４】
さらに、本実施の形態では、出力検出手段１５８で検出された電極間に流れる電流（放電電流）または印加される電圧（放電電圧）の値は、静電霧化装置１３１の電圧印加部１３３の高電圧を停止した状態で、出力検出手段１５８で出力された電極間に流れる電流（放電電流）又は、印加される電圧（放電電圧）の値を読込み、これを高電圧停止状態の基準値とし、次に電圧印加部１３３へ高電圧を印加した状態で、出力検出手段１５８で出力された電極間に流れる電流（放電電流）又は、印加される電圧（放電電圧）の値を読込み、これを高電圧動作状態の動作値とする。
【０１０５】
そして、制御手段１４６では、高電圧停止状態の基準値から高電圧動作状態の動作値を差分した差分値を用いることで、静電霧化装置１３１の内部部品の個体差によって、電流や電圧値の絶対値の差がある場合でも、静電霧化装置１３１への高電圧の印加が停止した状態を基準電圧値状態として、動作した状態の動作電圧との差を見ることによって判断を行うことで、部品の個体差があった場合でも、より正確に静電霧化装置１３１の噴霧状態を把握した上で、静電霧化装置１３１がミストを噴霧する際に適正な噴霧量の霧化を実現することが可能となる。
【０１０６】
さらに、上記のように制御手段１４６では、高電圧停止状態の基準値から高電圧動作状態の動作値を差分した差分値を用いることで、部品個体差があった場合に加え、同じ部品であっても、冷蔵庫１００の設置環境によって霧化部１３９の周囲温度が変化した場合には、出力検知手段で検知する放電電圧および放電電流等の絶対値は異なってくる場合があるが、本実施の形態のように差分値を用いて霧化装置である静電霧化装置１３１の噴霧状態（噴霧先端部における水分付着状態の）推定を把握した上で、静電霧化装置１３１の制御を行うことによって、より正確に静電霧化装置１３１の噴霧状態を把握した上で適正な範囲の霧化を実現することが可能となり、特に略密閉かつ低温空間である冷蔵庫１００の貯蔵室にミストを噴霧する場合は、噴霧量の制御がより詳細で正確である必要があるので、この差分値を用いた制御は有効な手段である。
【０１０７】
なお、本実施の形態では、上記のように部品の個体差があった場合でも、より正確に静電霧化装置１３１の噴霧状態を把握することを目的に、高電圧停止状態の基準値から高電圧動作状態の動作値を差分した差分値を用いたが、そこまで精度の高い制御を行う必要がない場合や、部品の個体差の影響が少ない場合等においては、高電圧動作状態の電流値または電圧値の絶対値をそのまま動作値として用いて、この動作値で静電霧化装置１３１の噴霧状態を把握することも可能である。
【０１０８】
また、本実施の形態では、判定タイミング設定手段からの信号によって、霧化状態判定手段１５６が霧化部１３９の霧化状態を判定し、この霧化状態判定手段１５６によって判定した信号によって霧化部１３９の動作すなわち霧化装置である静電霧化装置１３１の動作を制御することで、タイミング設定手段によって無駄なく的確なタイミングで繰り返し霧化状態の判定を行った上で、その結果を霧化部１３９の動作に反映するといった霧化状態のフィードバック制御を行うことにより霧化部１３９の噴霧精度を向上させ、適切な噴霧量のミスト噴霧を実現することができる。
【０１０９】
また、判定タイミング設定手段を、断熱区画された貯蔵室への風量を調整するダンパ１４５とし、ダンパ１４５が開から閉、又は、閉から開の動作を行った場合に、霧化状態判定手段１５６が霧化部１３９の霧化状態を判定することにより、霧化部１３９周辺の結露や乾燥を支配する冷気の流れが変わると推定されるダンパ１４５の挙動を判定タイミングとすることにより、的確なタイミングで、霧化部１３９の結露状態、噴霧状態を把握でき、その霧化部１３９の噴霧判定の精度を向上することができる。
【０１１０】
次に、出力検出手段１５８及び霧化状態判定手段１５６の動作についてより詳細に説明する。
【０１１１】
図５（ａ）の特性図は、本発明品の一例である霧化電極１３５に水がある状態を測定した結果を示している。
【０１１２】
通常霧化発生範囲を放電電圧２．０〜７．０ｋＶ、放電電流０．５〜１．５μＡであり、この値を出力検出手段１５８で検出し、制御手段１４６へ出力を行い、霧化状態判定手段１５６で、放電電圧２．０〜７．０ｋＶ、放電電流０．５〜１．５μＡの範囲内にあれば、安定した適正なコロナ放電が発生している、すなわち適正な霧化が行われていると判断し、放電電圧２．０〜７．０ｋＶ、放電電流０．５〜１．５μＡの範囲外では適正なコロナ放電が発生していない、すなわち適正な霧化が行われていないと判断する。
【０１１３】
なお、本実施の形態では、放電電圧２．０〜７．０ｋＶ、放電電流０．５〜１．５μＡで説明したが、実際の実機で噴霧している状態は、放電電流０．５〜１．５μＡ、放電電圧３．０〜７．０ｋＶで動作しているが、霧化によって実現する効果内容及び霧化部１３９の性能、噴霧空間の容量等の諸条件の変化により、この絶対値の範囲は変更することができる。
【０１１４】
図５（ｂ）の特性図は、本発明品の一例である霧化状態判定手段１５６の正常動作状態及び異常動作状態の判定領域を示している。
【０１１５】
正常動作状態の範囲は、出力検出手段１５８の検出電圧が２．８〜３．８Ｖ（この値は、部品の個体差のバラツキによって±２０％変動）の範囲であり、この値を放電電流に置き換えると放電電流０．０〜２．５μＡを示し、この正常動作状態の範囲でも以下の通り分類される。
【０１１６】
まず、出力検出手段１５８の検出電圧が３．６〜３．８Ｖの間では、霧化電極１３５に水がない状態（１）（若しくは水が少ない状態など）の範囲となり、放電電流０．５μＡ以下を示す。この場合には、霧化部１３９に水がない為、霧化状態判定手段１５６では適切な霧化が行われていないと判断し、電圧印加部１３３への電圧印加を停止し、霧化部１３９を動作させずミスト噴霧を行わない。
【０１１７】
次に、出力検出手段１５８の検出電圧が３．２〜３．６Ｖの間では、霧化電極１３５の先端に適正な水が着いた霧化発生状態（２）の範囲となり、放電電流０．５〜１．５μＡを示す。この霧化発生状態（２）の範囲が冷蔵庫１００の庫内へ噴霧する霧化量が適切である場合であり、霧化状態判定手段１５６では、適切な噴霧が行われていると判断をし、電圧印加部１３３への電圧印加を行い、霧化部１３９を動作させてミスト噴霧を行う。
【０１１８】
また、出力検出手段１５８の検出電圧が３．２〜２．８Ｖの間では、霧化電極１３５に過剰な結露常態が起こり、過剰結露常態（３）の範囲となり、放電電流１．５〜２．５μＡを示す。この過剰結露常態（３）の範囲は、略密閉で低温空間である冷蔵庫１００の貯蔵室内では、噴霧量が多すぎると推定する場合であり、霧化状態判定手段１５６では適切な霧化が行われていないと判断し、電圧印加部１３３への電圧印加を停止し、霧化部１３９を動作させずミスト噴霧を行わない。
【０１１９】
さらに、過剰結露常態（３）の範囲よりも、もっと放電電流値が高い２．５μＡ以上の場合には、噴霧量が多すぎるとともに、家庭用冷蔵庫においては、オゾンの発生量が多くなり、家庭用冷蔵庫において、使用者に安全とされているオゾン濃度の上限値である０．０３ｐｐｍを上回る可能性があり、異臭や材料劣化が促進される可能性があると推定する場合であり、霧化状態判定手段１５６では適切な霧化が行われていないと判断し、電圧印加部１３３への電圧印加を停止し、霧化部１３９を動作させずミスト噴霧を行わない。
【０１２０】
また、異常動作状態の範囲は、主に、縦軸の出力検出手段１５８での電圧値で判定を行い、例えば、出力検出手段１５８の検出電圧が４．５Ｖ以上は、静電霧化装置１３１の異常（回路故障等）状態（５）となり、この場合は、回路故障等の何らかの異常で、電流が全く流れない状態での故障と推定する場合であり、もちろん霧化状態判定手段１５６では適切な霧化が行われていないと判断し、電圧印加部１３３への電圧印加を停止し、霧化部１３９を動作させずミスト噴霧を行わない。
【０１２１】
また、出力検出手段１５８の検出電圧が０．５Ｖ以下は、静電霧化装置１３１の異常（霧化電極１３５の凍結等）状態となり、この場合は、霧化部１３９へ流れる電流が多すぎる場合で、例えば霧化電極１３５が凍結をして他の部品と接触等しているか、もしくは何らかの原因で漏電が起こっている状態での故障と推定する場合であり、もちろん霧化状態判定手段１５６では適切な霧化が行われていないと判断し、電圧印加部１３３への電圧印加を停止し、霧化部１３９を動作させずミスト噴霧を行わない。
【０１２２】
このように、家庭用冷蔵庫に静電霧化装置１３１を備えてミスト噴霧を行う場合には、ミスト噴霧が多すぎても庫内の結露やオゾン過多状態といった問題が発生し、噴霧が少なすぎて水がない状態で噴霧を行うと、無駄な電力を使用する上に、静電霧化装置１３１の発熱によって貯蔵室内の温度が上昇する為に、その上昇した温度を冷却する為に余計な冷却負荷がかかることで、消費電力が上昇するといった問題があるので、常に霧化部１３９の噴霧状態を把握し、適切な状態（図５（ｂ）の霧化発生状態（１））になるように制御する必要がある。
【０１２３】
水がない場合に何らかの浮遊物等が霧化電極１３５もしくは対向電極１３６に付着したような場合には、霧化装置を特に本実施の形態のような静電霧化装置１３１を用いた場合には、空放電等が発生する場合があり、その場合にはオゾンのみが発生してしまい、貯蔵室内のオゾン濃度が高まってしまう危険性もある。
【０１２４】
よって、例えば多量の噴霧量を発生してある一定条件が来れば切るような製品である加湿器や美顔器等では、ある一定の湿度となるまで、もしくは一定時間に多量の噴霧を続ければ良いので、随時噴霧量の監視をする必要はないが、略密閉でかつ低温空間の冷蔵庫においては、噴霧量の監視すなわち霧化部１３９の霧化状態を判定する霧化状態判定手段１５６を用いた複雑な制御が必要となる。
【０１２５】
次に詳細な動作を図６のタイミングチャートの順に、図７の制御フローチャートを用いて説明する。
【０１２６】
まず、冷蔵庫１００に電源が投入されると、タイマー１５７が動作し、タイマー１５７から出力される信号を制御手段１４６へ入力し（ＳＴＥＰ１００）、記憶変数のＯｌｄＤＰＦＬＧに初期値：閉信号（０）を記憶させ（ＳＴＥＰ１０１）、貯蔵室内に設けられた庫内温度検出手段１５０で貯蔵室内の雰囲気温度を検出する。
【０１２７】
次に庫内温度検出手段１５０の出力信号を制御手段１４６へ入力する。庫内温度検出手段１５０がＴ０以下なら次のＳＴＥＰ１０３に進むが、Ｔ０以上ならＴ０以下になるまで、次のＳＴＥＰには移行しない（ＳＴＥＰ１０２：例えばＴ０は１２℃）。すなわち、庫内温度検出手段１５０がＴ０以上の場合は、霧化部１３９での霧化を強制的に行わないように強制停止手段が動作する（この強制停止手段については、実施の形態３で詳しく説明する）。
【０１２８】
このように強制停止手段が動作することにより、庫内がある一定の温度まで冷却されるまで無駄に静電霧化装置１３１や結露防止ヒータ１５５に通電することを防止し、霧化部１３９での噴霧を行わず、庫内の冷却を優先している。
【０１２９】
そして、ＳＴＥＰ１０２で庫内温度検出手段１５０がＴ０以下ならば、次のＳＴＥＰに進み、庫内温度検出手段１５０がＴ１以下（ＳＴＥＰ１０３：Ｙｅｓ、図６のＡ点）でかつ圧縮機１０９が動作すれば、ダンパ１４５が開放動作となり、その状態を制御手段１４６へ入力（ＳＴＥＰ１０４、図６のＢ点）し、記憶変数のＮｅｗＤＰＦＬＧに開信号（１）を記憶する（ＳＴＥＰ１０５）。
【０１３０】
そこで、ＳＴＥＰ１０６において、ダンパ１４５が開放動作であれば、乾燥を促進させるため結露防止ヒータ１５５の通電を行う（ＳＴＥＰ１０７、図６のＣ点）。さらに、記憶変数に記憶されたＮｅｗＤＰＦＬＧとＯｌｄＤＰＦＬＧの判定を行う。
【０１３１】
記憶されたＮｅｗＤＰＦＬＧの記憶変数が開信号（１）であり、ＯｌｄＤＰＦＬＧが閉信号（０）であれば（ＳＴＥＰ１１１：ＹＥＳ）に処理が進み、ここで判定タイミング設定手段の一つであるダンパ１４５が閉信号から開信号に変わったタイミング（図６の破線Ｘ１のタイミング）と制御手段１４６で判定する。
【０１３２】
この時に、霧化電極１３５と対向電極１３６との間に高電圧が印加され、流れる電流値は、数μＡと非常に入力する電流値が小さいため、電流値から電圧値に変更すると、回路部品によるバラツキと部品による温度バラツキが発生し、判別する電流値の絶対値は、部品ごとに異なる。
【０１３３】
しかし、霧化量の変化に対応した電流値の変化量である差分値はこのバラツキに関わらず一定の関係を示すため、基準電圧を都度読込み比較した差分値を用いることで、正確に霧化量を判断することが可能となる。
【０１３４】
すなわち霧化していない時の基準電圧を原点とし、変化した基準電圧から減算する事で霧化量の差分値を判断することができので、一旦、制御手段１４６から電圧印加部１３３へ高電圧の停止信号を出力し、電圧印加部１３３へ高電圧の印加を停止し（ＳＴＥＰ１１２）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧停止状態の基準値とする（ＳＴＥＰ１１３）。
【０１３５】
次に、霧化状態を判定するために電圧印加部１３３へ高電圧を印加するように判断し、電圧印加部１３３へ高電圧の開始信号の出力を行う（ＳＴＥＰ１１４、図６のＺ１点）。そして、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧動作状態の動作値とする（ＳＴＥＰ１１５）。
【０１３６】
そして、制御手段１４６では、高電圧停止状態の基準値から高電圧動作状態の動作値を差分した差分値が、予め記憶されている電流、又は、印加される電圧の上限値Ｙ１と下限値Ｙ２間の範囲内に入っているか判定し、範囲内であれば（ＳＴＥＰ１１６：ＹＥＳ、図６のＤ点）、霧化電極１３５で安定したコロナ放電が発生し適正な霧化が行われていると予測でき、引き続き電圧印加部１３３へ高電圧が印加される。
【０１３７】
そして、タイマー１５７の初期化を行い（ＳＴＥＰ１１８）、記憶変数のＮｅｗＤＰＦＬＧをＯｌｄＤＰＦＬＧに代入し（ＳＴＥＰ１１９）、再びＳＴＥＰ１０２に戻る。
【０１３８】
また、タイマー１５７が所定時間経過すると（図６の破線Ｘ２のタイミング）、（ＳＴＥＰ１０２）、庫内温度検出手段１５０がＴ０以下ならば次のＳＴＥＰ１０３に進むが、Ｔ０以上ならＴ０以下になるまで、前述と同様に次のＳＴＥＰには移行しない（ＳＴＥＰ１０２：例えばＴ０は１２℃）。これにより、無駄に静電霧化装置１３１や結露防止ヒータ１５５に通電することを防止する。
【０１３９】
ＳＴＥＰ１０２でＴ０以下ならば、次のＳＴＥＰ１０３に進み、庫内温度検出手段１５０がＴ１以上かを判定し、Ｔ１以上でなければＳＴＥＰ１２０に進み、再度、庫内温度検出手段１５０がＴ２以下かを判定し、Ｔ２以下でなければ（ＳＴＥＰ１２０：Ｎｏ、図６のＢ点）、引き続きダンパ１４５の開信号を制御手段１４６へ入力する（ＳＴＥＰ１０４、図６のＦ点）。そして、ダンパ１４５が開放動作であれば（ＳＴＥＰ１０６：ＹＥＳ）に処理が進み、結露防止ヒータ１５５の通電を引き続き行う（ＳＴＥＰ１０７、図６のＧ点）。
【０１４０】
また、（ＳＴＥＰ１１０）にて、記憶変数に記憶されたＮｅｗＤＰＦＬＧの判定を行い、その記憶された記憶変数が開信号（１）であればＳＴＥＰ１１１に処理が進み、再度、記憶変数に記憶されたＯｌｄＤＰＦＬＧの判定を行う。記憶された記憶変数が閉信号（０）でなければ（ＳＴＥＰ１１１：ＮＯ）に処理が進み、ここでダンパ１４５の開信号（１）が継続されたと判断する。
【０１４１】
次に、タイマー１５７が所定時間以上であるか判定を行い（ＳＴＥＰ１２３）、タイマー１５７が所定時間未満であれば、ＳＴＥＰ１０２に移行する。
【０１４２】
もし、タイマー１５７が所定時間以上であれば（ＳＴＥＰ１２３：ＹＥＳ）、静電霧化装置１３１の霧化状態を確認するため電圧印加部１３３へ高電圧を印加するように判断し、電圧印加部１３３へ高電圧の開始信号の出力を行う（ＳＴＥＰ１１４、図６のＺ２）。この場合には、タイマー１５７が判定タイミング設定手段となる。
【０１４３】
このとき、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ１１５）。
【０１４４】
そして、制御手段１４６では、高電圧停止状態の基準値から高電圧動作状態の動作値を差分した値である差分値が、予め記憶されている電流、又は、印加される電圧の上限値Ｙ１と下限値Ｙ２間の範囲内に入っているか判定を行い、範囲内であれば（ＳＴＥＰ１１６：ＹＥＳ、図６のＨ点）、適正なコロナ放電が発生し、霧化状態となり、引続き電圧印加部１３３へ高電圧を印加する。次にタイマー１５７の初期化を行い（ＳＴＥＰ１１８）、記憶変数のＮｅｗＤＰＦＬＧをＯｌｄＤＰＦＬＧに代入し（ＳＴＥＰ１１９）、ＳＴＥＰ１０２に戻る。このとき、図示しないが、貯蔵室の扉が閉まった状態を検知しないと次のＳＴＥＰに移行しない制御を加えてもよい。
【０１４５】
さらに、タイマー１５７が所定時間経過すると（図６の破線Ｘ３のタイミング）、（ＳＴＥＰ１０２）、庫内温度検出手段１５０がＴ０以下ならば次のＳＴＥＰ１０３に進むが、Ｔ０以上ならＴ０以下になるまで、前述と同様に次のＳＴＥＰには移行しない（ＳＴＥＰ１０２：例えばＴ０は１２℃）。これにより、無駄に静電霧化装置１３１や結露防止ヒータ１５５に通電することを防止する。
【０１４６】
ＳＴＥＰ１０２でＴ０以下なれば、次のＳＴＥＰ１０３に進み、庫内温度検出手段１５０がＴ１以上かを判定し、Ｔ１以上でなければ、（ＳＴＥＰ１０３：Ｎｏ、図６のＩ点）へ処理を進み、再度、庫内温度検出手段１５０がＴ２以下かを判定を行い（ＳＴＥＰ１２０）、Ｔ２以下でなければ（ＳＴＥＰ１２０：Ｎｏ、図６のＩ点）、引き続きダンパ１４５の開信号を制御手段１４６へ入力（ＳＴＥＰ１０４、図６のＪ点）する。そして、出力信号が開放動作であれば（ＳＴＥＰ１０６：ＹＥＳ）に処理が進み、結露防止ヒータ１５５の通電を引き続き行う（ＳＴＥＰ１０７、図６のＫ点）。
【０１４７】
ここで、記憶変数に記憶されたＮｅｗＤＰＦＬＧの判定を行い、その記憶された記憶変数が開信号（１）であれば（ＳＴＥＰ１１０：ＹＥＳ）に処理が進み、再度、記憶変数に記憶されたＯｌｄＤＰＦＬＧの判定を行い、その記憶された記憶変数が閉信号（０）でなければ（ＳＴＥＰ１１１：ＮＯ）に処理が進み、ここでダンパ１４５の開信号（１）が継続されたかを判断する。
【０１４８】
そして、タイマー１５７が所定時間以上であるか判定を行い（ＳＴＥＰ１２３）、タイマー１５７が所定時間以上であれば（ＳＴＥＰ１２３：ＹＥＳ）、静電霧化装置１３１の電圧印加部１３３へ高電圧を印加するように判断し、電圧印加部１３３へ高電圧の開始信号の出力を行う（ＳＴＥＰ１１４、図６のＺ３）。
【０１４９】
このとき、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ１１５）。
【０１５０】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲外であれば（ＳＴＥＰ１１６：Ｎｏ、図６のＬ点）、適正なコロナ放電が発生していない状態と予測でき、制御手段１４６から電圧印加部１３３へ高電圧の停止信号の出力し、電圧印加部１３３へ高電圧の印加を停止する（ＳＴＥＰ１１７、図６のＺ４）。そして、タイマー１５７の初期化を行い（ＳＴＥＰ１１８）、記憶変数のＮｅｗＤＰＦＬＧをＯｌｄＤＰＦＬＧに代入し（ＳＴＥＰ１１９）、ＳＴＥＰ１０２に戻る。
【０１５１】
仮に、タイマー１５７が所定時間未満であれば、以降、上記の動作を（ＳＴＥＰ１２３：ＮＯ）へ処理が進み、ＳＴＥＰ１０２に戻る。
【０１５２】
次に（ＳＴＥＰ１０２）、庫内温度検出手段１５０がＴ０以下ならば次のＳＴＥＰ１０３に進むが、Ｔ０以上ならＴ０以下になるまで、次のＳＴＥＰには移行しない（ＳＴＥＰ１０２：例えばＴ０は１２℃）。これにより、無駄に静電霧化装置１３１や結露防止ヒータ１５５に通電することを防止する。
【０１５３】
ＳＴＥＰ１０２でＴ０以下ならば、次のＳＴＥＰ１０３に進み、庫内温度検出手段１５０がＴ１以上かを判定し、Ｔ１以上でなければ、（ＳＴＥＰ１０３：Ｎｏ、図６のＭ点）へ処理を進み、再度、庫内温度検出手段１５０がＴ２以下かを判定し（ＳＴＥＰ１２０）、Ｔ２以下であれば、（ＳＴＥＰ１２０：ＹＥＳ、図６のＭ点）へ処理を進み、ダンパ１４５が閉塞動作を出力し、その信号を制御手段１４６へ入力（ＳＴＥＰ１２１、図６のＮ点）と共に動作信号状態を記憶変数のＮｅｗＤＰＦＬＧに閉信号（０）を記憶する（ＳＴＥＰ１２２）。
【０１５４】
そして、処理が進み、外気温度検出手段１４８が検出した値と予め設定されている外気温度ＡＴ０と判定し、設定温度より高いと判定した場合は（ＳＴＥＰ１０８：ＮＯ）、結露防止ヒータ１５５の停止を行う（ＳＴＥＰ１０７、図６のＯ点）。
【０１５５】
そこで、記憶変数に記憶されたＮｅｗＤＰＦＬＧの判定を行い、その記憶された記憶変数が閉信号（０）であれば（ＳＴＥＰ１１０：ＮＯ）に処理が進み、次に記憶されたＯｌｄＤＰＦＬＧの判定を行い、その記憶された記憶変数が開信号（１）であれば（ＳＴＥＰ１２４：ＹＥＳ）に処理が進み、ここでダンパ１４５が開信号から閉信号に変ったタイミング（図６の破線Ｘ４のタイミング）と判定する。
【０１５６】
この時に、霧化電極１３５と対向電極１３６との間に高電圧が印加され、流れる電流値は、数μＡと非常に入力する電流値が小さいため、電流値から電圧値に変更すると、回路部品によるバラツキと部品による温度バラツキが発生し、判別する電流値の絶対値は、部品ごとに異なる。
【０１５７】
しかし、霧化量の変化に対応した電流値の変化量はこのバラツキに関わらず一定の関係を示すため、基準電圧を都度読込み比較することで、正確に霧化量を判断することが可能となる。
【０１５８】
すなわち霧化していない時の基準電圧を原点とし、変化した基準電圧から減算する事で霧化量の差分の絶対値を判断することができので、一旦、制御手段１４６から電圧印加部１３３へ高電圧の停止信号の出力し、電圧印加部１３３へ高電圧の印加を停止し（ＳＴＥＰ１１２）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧状態の基準値とする（ＳＴＥＰ１１３）。
【０１５９】
次に、静電霧化装置１３１の電圧印加部１３３へ高電圧を印加するように判断し、電圧印加部１３３へ高電圧の開始信号の出力を行い（ＳＴＥＰ１１４、図６のＺ５点）、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ１１５）。
【０１６０】
そして、制御手段１４６では、高電圧停止状態の基準値から高電圧動作状態の動作値を差分した値である差分値が、予め記憶されている電流、又は、印加される電圧の上限値Ｙ１と下限値Ｙ２間の範囲内に入っているか判定を行い、範囲外であれば（ＳＴＥＰ１１６：Ｎｏ、図６のＰ点）、霧化電極１３５に水滴が少ないため適正なコロナ放電が発生していない、若しくは霧化電極１３５が過剰結露状態となって適正なコロナ放電が発生していない状態と予測し、制御手段１４６から電圧印加部１３３へ高電圧の停止信号の出力を行う（ＳＴＥＰ１１７、図６のＺ６点）。そして、タイマー１５７の初期化を行い（ＳＴＥＰ１１８）、記憶変数のＮｅｗＤＰＦＬＧをＯｌｄＤＰＦＬＧに代入し（ＳＴＥＰ１１９）、ＳＴＥＰ１０２に戻る。
【０１６１】
タイマー１５７が所定時間経過すると（図６の破線Ｘ５のタイミング）、（ＳＴＥＰ１０２）、庫内温度検出手段１５０がＴ０以下なら次のＳＴＥＰ１０３に進むが、Ｔ０以上ならＴ０以下になるまで、次のＳＴＥＰには移行しない（ＳＴＥＰ１０２：例えばＴ０は１２℃）。これにより、無駄に静電霧化装置１３１や結露防止ヒータ１５５に通電することを防止する。
【０１６２】
ＳＴＥＰ１０２でＴ０以下ならば、次のＳＴＥＰ１０３に進み、庫内温度検出手段１５０がＴ１以上かを判定し、Ｔ１以上でなければ、（ＳＴＥＰ１０３：Ｎｏ、図６のＱ点）へ処理を進む。庫内温度検出手段１５０がＴ２以下かを判定を行い（ＳＴＥＰ１２０）、Ｔ２以下でなければ（ＳＴＥＰ１２０：Ｎｏ、図６のＱ点）ダンパ１４５の閉信号を継続していると判定し、開放動作でなければ（ＳＴＥＰ１０６：ＮＯ）に処理が進み、外気温度検出手段１４８が予め設定されている外気温度ＡＴ０と判定し、設定温度より高いと判定した場合は（ＳＴＥＰ１０８：ＮＯ）、結露防止ヒータ１５５の停止を行う（ＳＴＥＰ１０７、図６のＳ点）。
【０１６３】
次に、（ＳＴＥＰ１１０）にて、記憶変数に記憶されたＮｅｗＤＰＦＬＧの判定を行い、その記憶された記憶変数が開信号（１）でなければ（ＳＴＥＰ１１０：ＮＯ）に処理が進み、再度、記憶変数に記憶されたＯｌｄＤＰＦＬＧの判定を行い、その記憶された記憶変数が開信号（１）でなければ（ＳＴＥＰ１２４：ＮＯ）に処理が進み、ここでダンパ１４５の閉信号（０）が継続されたと判断する。
【０１６４】
タイマー１５７が所定時間以上であるか判定を行い（ＳＴＥＰ１２５）、タイマー１５７が所定時間以上であれば（ＳＴＥＰ１２５：ＹＥＳ）、静電霧化装置１３１の電圧印加部１３３へ高電圧を印加するように判断し、電圧印加部１３３へ高電圧の開始信号の出力を行う（ＳＴＥＰ１１４、図６のＺ７点）。そして、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ１１５）。
【０１６５】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲外であれば（ＳＴＥＰ１１６：Ｎｏ、図６のＴ点）、霧化電極１３５では適正なコロナ放電が発生していない状態と判断し、制御手段１４６から電圧印加部１３３へ高電圧の停止信号の出力を行う（ＳＴＥＰ１１７、図６のＺ８点）。そして、タイマー１５７の初期化を行い（ＳＴＥＰ１１８）、記憶変数のＮｅｗＤＰＦＬＧをＯｌｄＤＰＦＬＧに代入し（ＳＴＥＰ１１９）、ＳＴＥＰ１０２に戻る。
【０１６６】
次にタイマー１５７が所定時間経過すると（図６の破線Ｘ６のタイミング）、（ＳＴＥＰ１０２）、庫内温度検出手段１５０がＴ０以下なら次のＳＴＥＰ１０３に進むが、Ｔ０以上ならＴ０以下になるまで、次のＳＴＥＰには移行しない（ＳＴＥＰ１０２：例えばＴ０は１２℃）。
【０１６７】
これにより、無駄に静電霧化装置１３１や結露防止ヒータ１５５に通電することを防止する。ＳＴＥＰ１０２でＴ０以下ならば、次のＳＴＥＰ１０３に進み、庫内温度検出手段１５０がＴ１以上かを判定し、Ｔ１以上でなければ、（ＳＴＥＰ１０３：Ｎｏ、図６のＵ点）へ処理を進み、再度、庫内温度検出手段１５０がＴ２以下かを判定を行い（ＳＴＥＰ１２０）、Ｔ２以下でなければ（ＳＴＥＰ１２０：Ｎｏ、図６のＵ点）ダンパ１４５の閉信号を継続していると判定し、その出力信号が開放動作でなければ（ＳＴＥＰ１０６：ＮＯ）に処理が進み、外気温度検出手段１４８が予め設定されている外気温度ＡＴ０と判定し、設定温度より低いと判定した場合は（ＳＴＥＰ１０８：ＹＥＳ、図６のＺ点）、結露防止ヒータ１５５の通電を行う（ＳＴＥＰ１０７、図６のＷ点）。
【０１６８】
また、ここで、外気温度が比較的低い場合には、ダンパ１４５の閉塞状態が多くなり、霧化電極１３５は過剰結露の状態になりやすいので、結露防止ヒータ１５５を通常より入力を上げて通電することで、結露状態及び乾燥状態を作りやすい環境に設定することもできる。
【０１６９】
次に、（ＳＴＥＰ１１０）にて、記憶変数に記憶されたＮｅｗＤＰＦＬＧの判定を行い、その記憶された記憶変数が開信号（１）でなければ（ＳＴＥＰ１１０：ＮＯ）に処理が進み、記憶されたＯｌｄＤＰＦＬＧの判定を行い、記憶変数が開信号（１）でなければ（ＳＴＥＰ１２４：ＮＯ）に処理が進み、ここでダンパ１４５の閉信号（０）が継続されていると判断する。
【０１７０】
そして、タイマー１５７が所定時間以上であるか判定を行い（ＳＴＥＰ１２５）、タイマー１５７が所定時間以上であれば（ＳＴＥＰ１２５：ＹＥＳ）、静電霧化装置１３１の電圧印加部１３３へ高電圧を印加するように判断し、電圧印加部１３３へ高電圧の開始信号の出力を行う（ＳＴＥＰ１１４、図６のＺ９点）。霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ１１５）。
【０１７１】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲内であれば（ＳＴＥＰ１１６：ＹＥＳ、図６のＸ点）、霧化電極１３５にて適正なコロナ放電が発生し、霧化状態と判定し、引き続き電圧印加部１３３へ高電圧が印加する。
【０１７２】
そして、タイマー１５７の初期化を行い（ＳＴＥＰ１１８）、記憶変数のＮｅｗＤＰＦＬＧをＯｌｄＤＰＦＬＧに代入し（ＳＴＥＰ１１９）、ＳＴＥＰ１０２に戻る。以降、上記の動作を繰り返す。
【０１７３】
また、タイマー１５７が所定時間未満以上であれば、以降、上記の動作を（ＳＴＥＰ１２５：ＮＯ）へ処理が進み、ＳＴＥＰ１０２に戻る。
【０１７４】
このように、本実施の形態では、繰り返し霧化状態の判定を行った上で、その結果を霧化部１３９の動作に反映するといった霧化状態のフィードバック制御を行っている。この霧化状態のフィードバック制御は例えば図７の制御フローチャートにおいては、Ｆ１で示されているような霧化状態の判定を行う制御へと繰り返し戻るフローを指している。
【０１７５】
上記のような複雑なフローでのフィードバック制御を繰り返すことで、霧化状態判定手段１５６が動作するタイミングを設定する判定タイミング設定手段からの信号によって、霧化状態判定手段１５６が霧化部１３９の霧化状態を判定し、この霧化状態判定手段１５６によって判定した信号によって霧化部１３９の動作を制御している。
【０１７６】
これによって、タイミング設定手段によって無駄なく的確なタイミングで繰り返し霧化状態の判定を行った上で、その結果を霧化部１３９すなわち霧化装置の動作に反映するといった霧化状態のフィードバック制御を行うことにより、霧化部１３９の噴霧精度を向上させ、適切な噴霧量のミスト噴霧を実現することができる。
【０１７７】
なお、結露防止ヒータ１５５は、貯蔵室内の温度調節、又は、貯蔵室内の表面の結露を防止するため結露防止ヒータ１５５との兼用で説明したが、それぞれを独立させるヒータを用いることで、冷却ピン１３４の温度調節を行うヒータの低入力ができ、更に冷却ピン１３４の温度調節がきめ細かく制御できるので、結露状態を更に安定化が図れ、噴霧効率も向上させることが可能である。
【０１７８】
また、判定タイミング設定手段の一つであるダンパ１４５の開から閉、又は閉から開の動作信号に変わったタイミングで、高電圧停止状態の基準値の読込みを行うように説明したが、高電圧動作状態の動作値を検出する毎に、高電圧停止状態の基準値を都度読込み比較することで、更に正確な霧化量を判断することができ、噴霧効率も向上させることが可能である。
【０１７９】
なお、本実施の形態では、判定タイミング設定手段は、霧化部１３９周辺の冷気の流れが変わると推定されるダンパ１４５の開から閉、又は閉から開の動作信号に変ったタイミングとしたが、例えば、判定タイミング設定手段を庫内温度検出手段１５０（冷蔵室の庫内温度等）の予め設定された温度以下に下がった場合と、予め設定された温度以上に上がったタイミングを見て判断しても良く、庫内温度が上がった場合には、いずれ冷却が始まってダンパ１４５が開くことで庫内に冷気が導入されることが推定される為、ほぼダンパ１４５の開閉タイミングと庫内温度の変化とは連動している為であって、冷蔵庫１００の実機においてダンパ１４５の開閉を検知しない場合等には、この庫内温度検出手段１５０が極めて有効なタイミング設定手段となる。
【０１８０】
以上のように、本実施の形態においては断熱区画された貯蔵室である野菜室１０７と、野菜室１０７にミストを噴霧させる霧化部１３９とを有し、霧化部１３９に付着させた水分を微細化して野菜室１０７にミストとして噴霧するものであって、霧化部１３９の霧化状態を判定する霧化状態判定手段１５６によって判定した信号によって霧化部１３９の動作を制御することにより、霧化部１３９の霧化状態を的確に把握した上で、霧化部１３９の動作を制御することによって、適切な霧化を実現することができるので霧化装置を備えた冷蔵庫１００の品質をより向上させることができる。
【０１８１】
また、霧化状態を判定することで冷蔵庫１００にとって異常な霧化を防ぎ、常に適切な噴霧量の霧化が行えるので、霧化装置の動作による貯蔵室内の温度上昇抑制や消費電力の低減、省エネルギーが可能となる。
【０１８２】
また、本実施の形態においては、霧化状態判定手段１５６によって検出した信号が、あらかじめ決められた規定範囲に入っている場合に霧化部１３９において適正な噴霧が行われていると判定し、規定範囲外の場合に適正な霧化が行われていないと判定することで、適正な霧化が行われている状態時にのみ、霧化部１３９を継続動作させるので、霧化装置の誤動作の防止や故障検知、過剰噴霧防止や、霧化装置の動作による貯蔵室内の温度上昇抑制、さらに消費電力が低減できる。
【０１８３】
また、本実施の形態においては、霧化部１３９は、電位差を発生させる電圧印加部１３３と出力検出手段１５８とを有し、霧化状態判定手段１５６は、出力検出手段１５８で検出された電圧印加部１３３に印加されている印加電流の値によって霧化部１３９の霧化状態を判定するものであって、印加電流があらかじめ決められた規定範囲に入っていることを検出した場合に、適正な霧化が行われると判定し、その運転を継続させることにより、貯蔵室に対して、的確なミスト噴霧の判定が可能になり、保鮮などの品質を向上させるとともに、無駄な通電を行うこともないので、消費電力低減ができる。
【０１８４】
また、本実施の形態においては、霧化部１３９は、電位差を発生させる電圧印加部１３３と出力検出手段１５８とを有し、霧化状態判定手段１５６は、出力検出手段１５８で検出された電圧印加部１３３に印加されている印加電圧の値によって霧化部１３９の霧化状態を判定することにより、貯蔵室に対して、的確なミスト噴霧の判定が可能になり、保鮮などの品質を向上させるとともに、霧化部１３９に対し無駄な通電を行うこともないので、消費電力低減ができる。
【０１８５】
また、本実施の形態においては、霧化状態判定手段１５６で霧化部１３９において適正な噴霧が行われていないと判定した時に、電圧印加部１３３への通電を停止することで、余分な消費電力を低減することができる。
【０１８６】
このように、過剰噴霧状態になっても、電圧印加部１３３の高電圧の停止を行うことで、貯蔵室内の結露を防止することができる。
【０１８７】
また、本実施の形態においては、霧化状態判定手段１５６によって適正な霧化が行われていないと判定された後、一定時間以上を経過すると、再度、霧化状態判定手段１５６によって霧化状態判定を行うことで、霧化部１３９に水がある時は、水がなくなるまで電圧印加部１３３の高電圧の動作を行うことで、噴霧効率を更に向上させることができる。
【０１８８】
また、水がなくなると、電圧印加部１３３の高電圧の停止を行うことで、次の検出タイミング後まで、電圧印加部１３３の高電圧の停止を行うので余分な電力を消費せず、消費電力を更に低減することができる。
【０１８９】
また、本実施の形態においては、霧化状態判定手段１５６が動作するタイミングを設定する判定タイミング設定手段を有し、判定タイミング設定手段からの信号によって、霧化状態判定手段１５６が霧化部１３９の霧化状態を判定することで、無駄なく的確なタイミングで霧化状態の判定を行うことができ、より霧化部１３９の噴霧精度を向上させ、適切な噴霧量のミスト噴霧を実現することができる。
【０１９０】
また、本実施の形態においては、判定タイミング設定手段は、冷蔵庫１００の霧化部１３９を備えた貯蔵室内の環境が変わることが推定される場合に、霧化状態判定手段１５６へ霧化部１３９の霧化状態を判定する判定タイミングを設定するものであって、冷蔵庫１００の貯蔵室特有の庫内環境の変化を事前に推測して、より的確なタイミングで霧化状態の判定を行うことができ、さらに霧化部１３９の噴霧精度を向上させ、適切な噴霧量のミスト噴霧を実現することができる。
【０１９１】
また、本実施の形態においては、判定タイミング設定手段を備え、断熱区画された貯蔵室への風量を調整するダンパ１４５であって、ダンパ１４５が開から閉、又は、閉から開の動作を行った場合に、霧化状態判定手段１５６が霧化部１３９の霧化状態を判定することにより、霧化部１３９周辺の結露や乾燥を支配する冷気の流れが変わると推定されるダンパ１４５の挙動を判定タイミングとすることにより、的確なタイミングで、霧化部１３９の結露状態、噴霧状態を把握でき、その霧化部１３９の噴霧判定の精度を向上することができる。
【０１９２】
また、本実施の形態においては、冷蔵庫１００の外気温度を検出する外気温度検出手段１４８を備え、所定温度以上では、貯蔵室の温度調節を行うダンパ１４５の開から閉、又は、閉から開の動作を判定タイミング設定手段の判定タイミングとして、霧化状態判定手段１５６が霧化部１３９の霧化状態を判定することにより、外気温度が比較的低い場合には、ダンパ１４５の閉塞状態が多くなり、霧化電極１３５は過剰結露の状態になりやすいと推測できるので、外気温度によって判定タイミング設定手段の判定タイミングを変更することで、外気温度の影響をも加味して、さらに冷蔵庫１００の設置条件の変動があった場合でも、適切かつ的確なタイミングで、霧化部１３９の結露状態、噴霧状態を把握でき、その霧化部１３９の噴霧判定の精度を向上することができる。
【０１９３】
なお、本実施の形態では、冷却ピン１３４を冷却するための風路は、冷凍室１０８の吐出風路１４１としたが、製氷室１０６の吐出風路や、冷凍室１０８の戻り風路などの低温風路でもかまわない。これにより、静電霧化装置１３１の設置可能場所が拡大する。
【０１９４】
なお、本実施の形態では、静電霧化装置１３１の霧化電極１３５周囲には、保水材を設けなかったが、保水材が配設してもよい。これにより、霧化電極１３５近傍で生成された結露水を霧化電極１３５周囲に保持することができるので霧化電極１３５に適時に供給することができる。
【０１９５】
なお、本実施の形態において、冷蔵庫１００におけるミストを噴霧する貯蔵室は、野菜室１０７としたが、冷蔵室１０４や切換室１０５などの他の温度帯の貯蔵室でもよく、この場合、様々な用途に展開が可能となる。
【０１９６】
なお、本実施の形態では、高電圧を発生する電圧印加部１３３の負電位側が霧化電極１３５と、正電位側が対向電極１３６とそれぞれ電気的に接続されるように説明したが、たとえば、霧化電極１３５には−４〜−１０ｋＶ、対向電極１３６にはグランド（０Ｖ）の高電圧を印加することも可能である。
【０１９７】
この場合、発生した微細ミストに、より多くのＯＨラジカルなどが含まれ、これらの酸化力により、さらに野菜室１０７内の脱臭や野菜表面を抗菌、殺菌することができると同時に、野菜表面に付着する農薬やワックスなどの有害物質を酸化分解・除去することが可能となる。
【０１９８】
なお、本実施の形態では、冷却手段に冷却器１１２で生成された各貯蔵室を冷却するための冷却手段を冷気が流れる風路からの熱伝導を利用したが、ペルチェ素子を利用して冷却する手段も考えられる。この場合、乾燥手段として、実施の形態１と同様に乾燥空気を利用することも可能であるが、ペルチェ素子の特長を利用して、入力を反転することで冷却面を加熱面として動作させることが可能であるので、冷却ピン１３４を加熱することにより乾燥をさせることができる。よって、結露と乾燥のサイクルをより安定して制御可能となる。
【０１９９】
なお、本実施の形態においては、ミストを噴霧する場合の水分補給の方法として空気中の水分を霧化部１３９に結露させることで、水分補給を行うものとしたが、空気中の水分を用いることなく、貯蔵タンク等に貯留された水分を随時供給して行う場合においても、付着した水分量の制御方法として、同様に霧化部１３９の霧化状態を判定する霧化状態判定手段１５６を備え、霧化状態判定手段１５６によって判定した信号によって霧化部１３９の動作を制御することができ、この場合には、この霧化部１３９の状態を判定した後に、貯蔵タンク等の水分補給手段を制御する制御装置へ霧化部１３９の状態の情報を入力することで、的確かつ適切な水分補給を行うことができる。
【０２００】
このような、外部から水分を補給する場合であっても、本実施の形態で説明した結露量の調整を、水分補給量の調整と置き換えて同様の制御を行うことで、噴霧量の過剰もしくは渇水による冷蔵庫特有の問題を解決できるものであり、ミスト噴霧装置を冷蔵庫へ搭載した場合でも、適切な噴霧が行える高品位でかつ省エネルギーを実現した冷蔵庫を提供することが可能となる。
【０２０１】
なお、本実施の形態においては、霧化部１３９でミスト噴霧を行う具体的な霧化装置として静電霧化装置１３１を例にあげて説明を行ったが、霧化装置は別方式で霧化を行うようなものでも良く、例えば超音波霧化装置を用いた場合でも、超音波霧化装置の霧化先端部に付着する水分量を把握した上で、同様の技術思想を用いてそれが適正範囲に入っているかどうかを霧化状態判定手段１５６で判定を行った上で霧化部１３９の動作すなわち霧化装置のＯＮ／ＯＦＦを制御することによって、無駄なく的確なタイミングで繰り返し霧化状態の判定を行った上で、その結果を霧化部１３９の動作に反映するといった霧化状態のフィードバック制御を行うことにより霧化部１３９の噴霧精度を向上させ、適切な噴霧量のミスト噴霧を実現することができる。この際の制御手段についても、冷蔵庫１００の庫内環境を加味した本実施の形態の制御手段１４６と同様のものを用いることができる。
【０２０２】
（実施の形態２）
図８は、本発明の実施の形態２における冷蔵庫の機能ブロック図である。図９は、同実施の形態の冷蔵庫の動作の一例を示すタイミングチャートである。図１０は、同実施の形態における冷蔵庫の制御の一例を示すフローチャートである。
【０２０３】
本発明の実施の形態２の冷蔵庫１０１における静電霧化装置１３１の放電電圧と放電電流との関係は、図５（ａ）に示された実施の形態１のものと同じであり、実施の形態２の冷蔵庫１００における静電霧化装置１３１の放電電流値と出力検出手段１５８との関係と霧化部１３９の状態との相関は、図５（ｂ）に示された実施の形態１のものと同じである。また、実施の形態１と同一構成については、同一符号を付してその詳細な説明は省略する。
【０２０４】
図８において、本実施の形態の冷蔵庫１００は、圧縮機１０９の運転動作を制御手段１４６へ入力する。
【０２０５】
制御手段１４６は、予め設定された庫内の温度に応じて、圧縮機１０９が動作して冷却運転が行われる。冷却運転が行われると、冷却室１１０で各貯蔵室を冷却するための冷気を生成し、冷却ファン１１３により、各貯蔵室内へ冷気を搬送し、ダンパ１４５の開閉動作により、各貯蔵室を目的温度帯に冷却調整される。
【０２０６】
外気温度が比較的低い場合には、庫内温度検出手段１５０の温度変動がほぼ一定温度となるため、ダンパ１４５は、閉塞状態が多くなり、ダンパ１４５の運転率が低下し、ダンパ１４５の開閉に応じて、霧化電極１３５の乾燥及び結露を制御することが困難になる。つまり、ダンパ１４５が閉塞状態となり、霧化電極１３５が過剰結露しやすい状態になる。
【０２０７】
また、圧縮機１０９は、インバータ制御等により、圧縮機１０９の回転数を可変することにより、冷蔵庫１００の周囲環境温度に影響されることなく、ほぼ一定の運転率でＯＮ／ＯＦＦ動作されている。
【０２０８】
よって、本実施の形態では、冷蔵庫１００の外気温度を検出する外気温度検出手段１４８を備え、外気温度検出手段１４８で検出した外気温によって霧化状態判定手段１５６が動作するタイミングを設定する判定タイミング設定手段を変更とし、外気温度検出手段１４８で検出外気温が所定温度以下である場合を中心に説明をする。
【０２０９】
外気温度検出手段１４８で検出した外気温が所定温度（例えば１４℃）以下の場合、野菜室１０７の湿度状況を考慮するため冷却ファン１１３の動作つまり、圧縮機１０９の動作信号に応じて、例えば、圧縮機１０９がＯＮされると、結露防止ヒータ１５５を通電し、霧化電極１３５を加温、乾燥状態を作り出し、圧縮機１０９がＯＦＦされると、結露防止ヒータ１５５がＯＦＦし、霧化電極１３５が結露状態をつくり、これに高電圧を印加することによりミストが噴霧される。
【０２１０】
なお、圧縮機１０９がＯＮ時には、結露防止ヒータ１５５を通電、ＯＦＦ時には結露防止ヒータ１５５を停止で説明したが、圧縮機１０９がＯＮには、結露防止ヒータ１５５を停止、ＯＦＦ時には結露防止ヒータ１５５を通電としてもよい。これにより、消費電力を低減できる。
【０２１１】
また、圧縮機１０９のＯＮ／ＯＦＦの動作タイミングで結露防止ヒータ１５５の通電／停止を説明したが、結露防止ヒータ１５５を常時通電し、圧縮機１０９のＯＮ時とＯＦＦ時の通電率を変更してもよい。
【０２１２】
このように、圧縮機１０９のＯＮ／ＯＦＦのタイミングは、野菜室１０７の湿度状況等が変化し、霧化部１３９周辺の結露や乾燥を支配する温湿度状況が変わると推定される重要なタイミングであるので、本実施の形態では、判定タイミング設定手段を圧縮機１０９のＯＮ／ＯＦＦのタイミングとし、圧縮機１０９がＯＮからＯＦＦ若しくは、ＯＦＦからＯＮの動作を行った場合に、霧化状態判定手段１５６が霧化部１３９の霧化状態を判定するようにした。
【０２１３】
なお、圧縮機１０９のＯＮからＯＦＦ若しくは、ＯＦＦからＯＮの動作を行った場合に霧化状態を判定するように説明したが、冷却ファン１１３のＯＮからＯＦＦ若しくはＯＦＦからＯＮの動作を行ったタイミングでも良い。
【０２１４】
これにより、圧縮機１０９がＯＮからＯＦＦ若しくは、ＯＦＦからＯＮのタイミングを制御手段１４６で判断する検出タイミングで霧化状態を判断し、一旦、静電霧化装置１３１の電圧印加部１３３の高電圧を停止した状態で、出力検出手段１５８で出力された電極間に流れる電流（放電電流）又は、印加される電圧（放電電圧）の値を読込み、これを高電圧停止状態の基準値とし、次に電圧印加部１３３へ高電圧を印加した状態で、出力検出手段１５８で出力された電極間に流れる電流（放電電流）又は、印加される電圧（放電電圧）の値を読込み、これを高電圧動作状態の動作値とする。
【０２１５】
そして、制御手段１４６では、高電圧停止状態の基準値である基準電圧値もしくは基準電流値から高電圧動作状態の動作値である動作電圧値もしくは動作電圧値を差分した値である差分値をもとに、霧化状態判定手段１５６により霧化状態を判定し、電圧印加部１３３へ高電圧の印加継続すなわち霧化部１３９の動作を制御の可否判断を行い、タイマー１５７が初期化される。
【０２１６】
霧化状態判定手段１５６は、この差分された値があらかじめ決められた規定範囲（例えば、図５（ｂ）の霧化発生状態（１）の範囲）に入っている場合に、霧化状態判定手段１５６ではコロナ放電が発生し適正な噴霧が行われている状態と判断し、引き続き電圧印加部１３３へ高電圧の開始信号を出力しミスト噴霧を行うと共に、タイマー１５７を動作させる。
【０２１７】
そして、タイマー１５７が所定時間経過ごとに、出力検出手段１５８で電極間に流れる電流（放電電流）又は、印加される電圧（放電電圧）の高電圧動作状態の動作値を読込み、制御手段１４６では、高電圧停止状態の基準値から高電圧動作状態の動作値を差分し、その値から霧化状態判定手段１５６で判定を行う。
【０２１８】
また逆に、高電圧停止状態の基準値から高電圧動作状態の動作値を差分した値である差分値がある指定の範囲外（例えば、図５（ｂ）の霧化発生状態（１）の範囲外）であれば、霧化状態判定手段１５６では、適正な噴霧が行われていないと判断し、制御手段１４６から電圧印加部１３３へ高電圧の停止信号の出力を行うことで、霧化部１３９の動作を停止させミスト噴霧を停止すると共に、タイマー１５７を動作させる。
【０２１９】
そして、タイマー１５７が所定時間経過後、再び、電圧印加部１３３へ高電圧の開始信号を出力し、出力検出手段１５８で電極間に流れる電圧もしくは電流の高電圧動作状態の動作値を読込み、制御手段１４６では、高電圧停止状態の基準値から高電圧動作状態の動作値を差分し、その値から霧化状態判定手段１５６で判定を行う。
【０２２０】
このとき、タイマー１５７を用いて遅延制御を行い、霧化電極１３５の結露の状態により、静電霧化装置１３１への高電圧印加の通電の可否すなわち霧化部１３９の動作の開始もしくは停止等を制御してもよい。この場合は、タイマー１５７がタイミング設定手段となり、的確なタイミングで安定して必要な時に適切な量を霧化させることができ、消費電力が低減することもできる。
【０２２１】
次に詳細な動作を図９のタイミングチャートの順に、図１０の制御フローチャートを用いて説明する。
【０２２２】
まず、タイマー１５７が動作し（ＳＴＥＰ２０１）、記憶変数のＯｌｄＤＰＦＬＧに初期値：ＯＦＦ状態（０）を記憶させる（ＳＴＥＰ２０２）。このとき、図示しないが、庫内温度検知手段がある一定温度以下にならないと次のＳＴＥＰに移行しない制御を加えてもよい。
【０２２３】
圧縮機１０９の運転状態が動作状態を入力し、圧縮機１０９の運転状態が動作状態（ＯＮ）かどうかを判定し（ＳＴＥＰ２０３）、ＯＮ状態であれば（ＳＴＥＰ２０３：Ｙｅｓ、図９のＡ‘点）へ処理が進み、記憶変数のＮｅｗＤＰＦＬＧにＯＮ状態（１）を記憶させると共に（ＳＴＥＰ２０４）、霧化電極１３５の乾燥状態を作り出す、結露防止ヒータ１５５に通電を行う（ＳＴＥＰ２０５、図９のＢ’点）。
【０２２４】
次に、ＮｅｗＤＰＦＬＧの判定を行い、その記憶された記憶変数がＯＮ状態（１）であれば（ＳＴＥＰ２０６：ＹＥＳ）に処理が進み、再度、ＯｌｄＤＰＦＬＧの判定を行う。ＯｌｄＤＰＦＬＧがＯＦＦ状態（０）であれば（ＳＴＥＰ２０７：ＹＥＳ）に処理が進み、ここで判定タイミング設定手段の一つである圧縮機１０９がＯＦＦ状態からＯＮ状態に変ったタイミング（図９の破線Ｘ１‘のタイミング）と判断する。
【０２２５】
この時、電圧印加部１３３へ高電圧の停止信号の出力し、電圧印加部１３３へ高電圧の印加を停止し（ＳＴＥＰ２０８）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧停止状態の基準値とする（ＳＴＥＰ２０９）。
【０２２６】
次に、静電霧化装置１３１の電圧印加部１３３へ高電圧を印加するように判断し、電圧印加部１３３へ高電圧の開始信号の出力を行い（ＳＴＥＰ２１０、図９のＺ‘１点）、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ２１１）。
【０２２７】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定し、範囲内であれば（ＳＴＥＰ２１２：ＹＥＳ、図９のＣ‘点）、霧化電極１３５で安定した適正なコロナ放電が発生し、霧化電極１３５でミストが発生していると判断し、引続き電圧印加部１３３へ高電圧が印加する。そして、タイマー１５７の初期化を行い（ＳＴＥＰ２１４）、記憶変数のＮｅｗＤＰＦＬＧをＯｌｄＤＰＦＬＧに代入しＳＴＥＰ２０３に戻る。
【０２２８】
タイマー１５７が所定時間経過すると（図９の破線Ｘ２‘のタイミング）、（ＳＴＥＰ２０３）にて、圧縮機１０９の運転状態が動作状態（ＯＮ）かを判定し（ＳＴＥＰ２０３）、ＯＮ状態であれば（ＳＴＥＰ２０３：Ｙｅｓ、図９のＤ‘点）へ処理が進み、記憶変数のＮｅｗＤＰＦＬＧにＯＮ状態（１）を記憶させると共に（ＳＴＥＰ２０４）、霧化電極１３５の乾燥状態を作り出す、結露防止ヒータ１５５に継続通電を行う（ＳＴＥＰ２０５、図９のＥ’点）。
【０２２９】
そして、（ＳＴＥＰ２０６）にて、記憶変数に記憶されたＮｅｗＤＰＦＬＧの判定を行い、その記憶された記憶変数がＯＮ状態（１）であれば（ＳＴＥＰ２０６：ＹＥＳ）に処理が進み、ＯｌｄＤＰＦＬＧがＯＦＦ状態（０）でなければ（ＳＴＥＰ２０７：ＮＯ）に処理が進み、タイマー１５７が所定時間以上であるかを判定する（ＳＴＥＰ２１８）。
【０２３０】
タイマー１５７が所定時間以上であれば（ＳＴＥＰ２１８：ＹＥＳ）静電霧化装置１３１の電圧印加部１３３へ高電圧を印加するように判断し、電圧印加部１３３へ高電圧の開始信号の出力を行う（ＳＴＥＰ２１０、図９のＺ‘２点）。そして、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ２１１）。
【０２３１】
そして、制御手段１４６では、高電圧停止状態の基準値から高電圧動作状態の動作値を差分した値である差分値が、予め記憶されている電流、又は、印加される電圧の上限値Ｙ１と下限値Ｙ２間の範囲内に入っているか判定を行い、範囲内であれば（ＳＴＥＰ２１２：ＹＥＳ、図９のＦ‘点）、霧化状態継続していると判断し、引続き電圧印加部１３３へ高電圧が印加される。そして、タイマー１５７の初期化を行い（ＳＴＥＰ２１４）、記憶変数のＮｅｗＤＰＦＬＧをＯｌｄＤＰＦＬＧに代入し（ＳＴＥＰ２１５）、ＳＴＥＰ２０３に戻る。
【０２３２】
さらに、タイマー１５７が所定時間経過すると（図９の破線Ｘ３‘のタイミング）、（ＳＴＥＰ２０３）にて、圧縮機１０９の運転状態が動作状態（ＯＮ）かを判定し（ＳＴＥＰ２０３）、ＯＮ状態であれば（ＳＴＥＰ２０３：Ｙｅｓ、図９のＧ‘点）へ処理が進み、記憶変数のＮｅｗＤＰＦＬＧにＯＮ状態（１）を記憶させると共に（ＳＴＥＰ２０４）、霧化電極１３５の乾燥状態を作り出す、結露防止ヒータ１５５に継続通電を行う（ＳＴＥＰ２０５、図９のＨ’点）。
【０２３３】
そして、（ＳＴＥＰ２０６）にて、ＮｅｗＤＰＦＬＧの判定を行い、記憶変数がＯＮ状態（１）であれば（ＳＴＥＰ２０６：ＹＥＳ）に処理が進み、ＯｌｄＤＰＦＬＧの記憶変数がＯＦＦ状態（０）でなければ（ＳＴＥＰ２０７：ＮＯ）に処理が進み、タイマー１５７が所定時間以上であるかを判定する（ＳＴＥＰ２１８）。
【０２３４】
タイマー１５７が所定時間以上であれば（ＳＴＥＰ２１８：ＹＥＳ）、静電霧化装置１３１の電圧印加部１３３へ高電圧を印加するように判断し、電圧印加部１３３へ高電圧の開始信号の出力を行う（ＳＴＥＰ２１０、図９のＺ‘３点）。次に、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ２１１）。
【０２３５】
そして、制御手段１４６では、高電圧停止状態の基準値から高電圧動作状態の動作値を差分した値が、予め記憶されている電流、又は、印加される電圧の上限値Ｙ１‘と下限値Ｙ２’間の範囲内に入っているか判定を行い、範囲外であれば（ＳＴＥＰ２１２：Ｎｏ、図９のＩ‘点）、適正なコロナ放電が発生していない状態と判定し、電圧印加部１３３へ高電圧の停止信号の出力を行う（ＳＴＥＰ２１３、図９のＺ‘４点）。そして、タイマー１５７の初期化を行い（ＳＴＥＰ２１４）、記憶変数のＮｅｗＤＰＦＬＧをＯｌｄＤＰＦＬＧに代入し（ＳＴＥＰ２１５）、ＳＴＥＰ２０３に戻る。
【０２３６】
また、タイマー１５７が所定時間未満であれば、以降、上記の動作を（ＳＴＥＰ２１８）までを処理を繰り返し、そして、タイマー１５７が所定時間未満であれば、再びＳＴＥＰ２０３に戻る。
【０２３７】
また、（ＳＴＥＰ２０３）にて、圧縮機１０９の運転状態が動作状態（ＯＮ）かを判定し（ＳＴＥＰ２０３）、ＯＦＦ状態であれば（ＳＴＥＰ２０３：ＮＯ、図９のＪ‘点）へ処理が進み、記憶変数のＮｅｗＤＰＦＬＧにＯＦＦ状態（０）を記憶させると共に（ＳＴＥＰ２１６）、霧化電極１３５の結露状態を作り出す、結露防止ヒータ１５５を停止する（ＳＴＥＰ２１７、図９のＫ’点）。
【０２３８】
次に、記憶変数に記憶されたＮｅｗＤＰＦＬＧの判定を行い、記憶変数がＯＦＦ状態（０）であれば（ＳＴＥＰ２０６：ＮＯ）に処理が進み、ここで、ＯｌｄＤＰＦＬＧの記憶変数がＯＮ状態（１）であれば（ＳＴＥＰ２１９：ＹＥＳ）に処理が進み、ここで判定タイミング設定手段の一つである圧縮機１０９がＯＮ状態からＯＦＦ状態に変わったタイミング（図９の破線Ｘ４‘のタイミング）と判断する。
【０２３９】
この時に電圧印加部１３３へ高電圧の停止信号の出力し、電圧印加部１３３へ高電圧の印加を停止し（ＳＴＥＰ２０８）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧停止状態の基準値とする（ＳＴＥＰ２０９）。
【０２４０】
次に、静電霧化装置１３１の電圧印加部１３３へ高電圧を印加するように判断し、電圧印加部１３３へ高電圧の開始信号の出力を行い（ＳＴＥＰ２１０、図９のＺ‘５点）、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ２１１）。
【０２４１】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲外であれば（ＳＴＥＰ２１２：ＮＯ、図９のＬ‘点）、適正なコロナ放電が発生していない状態となり、制御手段１４６から電圧印加部１３３へ高電圧の停止信号の出力を行う（ＳＴＥＰ２１３、図９のＺ‘６点）。そして、タイマー１５７の初期化を行い（ＳＴＥＰ２１４）、ＳＴＥＰ２０３に戻る。
【０２４２】
また、タイマー１５７が所定時間経過すると（図９の破線Ｘ５‘のタイミング）、（ＳＴＥＰ２０３）にて、圧縮機１０９の運転状態が動作状態（ＯＮ）かを判定し（ＳＴＥＰ２０３）、ＯＦＦ状態であれば（ＳＴＥＰ２０３：ＮＯ、図９のＭ‘点）へ処理が進み、ＮｅｗＤＰＦＬＧにＯＦＦ状態（０）を記憶させると共に（ＳＴＥＰ２１６）、霧化電極１３５の結露状態を作り出す、結露防止ヒータ１５５に継続停止を行う（ＳＴＥＰ２１７、図９のＮ’点）。
【０２４３】
そして、（ＳＴＥＰ２０６）にて、ＮｅｗＤＰＦＬＧの判定を行い、記憶変数がＯＦＦ状態（０）であれば（ＳＴＥＰ２０６：ＮＯ）に処理が進み、ＯｌｄＤＰＦＬＧの記憶変数がＯＮ状態（１）でなければ（ＳＴＥＰ２１９：ＮＯ）に処理が進み、タイマー１５７が所定時間以上であるかを判定する（ＳＴＥＰ２２０）。
【０２４４】
タイマー１５７が所定時間以上であれば（ＳＴＥＰ２２０：ＹＥＳ）へ処理が進み、静電霧化装置１３１の電圧印加部１３３へ高電圧を印加するように判断し、電圧印加部１３３へ高電圧の開始信号の出力を行う（ＳＴＥＰ２１０、図９のＺ‘７点）。そして、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ２１１）。
【０２４５】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲外であれば（ＳＴＥＰ２１２：ＮＯ、図９の０‘点）、適正なコロナ放電が発生していない状態となり、制御手段１４６から電圧印加部１３３へ高電圧の停止信号の出力を行う（ＳＴＥＰ２１３、図９のＺ‘８点）。そして、タイマー１５７の初期化を行い（ＳＴＥＰ２１４）、記憶変数のＮｅｗＤＰＦＬＧをＯｌｄＤＰＦＬＧに代入し（ＳＴＥＰ２１５）、ＳＴＥＰ２０３に戻る。
【０２４６】
また、タイマー１５７が所定時間経過すると（図９の破線Ｘ６‘のタイミング）、（ＳＴＥＰ２０３）にて、圧縮機１０９の運転状態が動作状態（ＯＮ）かを判定し（ＳＴＥＰ２０３）、ＯＦＦ状態であれば（ＳＴＥＰ２０３：ＮＯ、図９のＰ‘点）へ処理が進み、記憶変数のＮｅｗＤＰＦＬＧにＯＦＦ状態（０）を記憶させると共に（ＳＴＥＰ２１６）、霧化電極１３５の結露状態を作り出す、結露防止ヒータ１５５に継続停止を継続する（ＳＴＥＰ２１７、図９のＱ’点）。
【０２４７】
そして、（ＳＴＥＰ２０６）にて、記憶変数に記憶されたＮｅｗＤＰＦＬＧの判定を行い、その記憶された記憶変数がＯＮ状態（１）でなければ（ＳＴＥＰ２０６：ＮＯ）に処理が進み、ＯｌｄＤＰＦＬＧの記憶変数がＯＮ状態（１）でなければ（ＳＴＥＰ２１９：ＮＯ）に処理が進み、タイマー１５７が所定時間以上であるかを判定する（ＳＴＥＰ２２０）。
【０２４８】
タイマー１５７が所定時間以上であれば（ＳＴＥＰ２２０：ＹＥＳ）、静電霧化装置１３１の電圧印加部１３３へ高電圧を印加するように判断し、電圧印加部１３３へ高電圧の開始信号の出力を行う（ＳＴＥＰ２１０、図９のＺ‘９点）。そして、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ２１１）。
【０２４９】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲内であれば（ＳＴＥＰ２１２：ＹＥＳ、図９のＲ‘点）、コロナ放電によって、霧化電極１３５で適正なミスト噴霧が発生していると判定し、引き続き電圧印加部１３３へ高電圧が印加され、ミスト噴霧が行われる。
【０２５０】
そして、タイマー１５７の初期化を行い（ＳＴＥＰ２１４）、記憶変数のＮｅｗＤＰＦＬＧをＯｌｄＤＰＦＬＧに代入し（ＳＴＥＰ２１５）、ＳＴＥＰ２０３に戻る。
【０２５１】
また、タイマー１５７が所定時間未満以上であれば、以降、上記の動作を（ＳＴＥＰ２２０）までを処理を繰り返し、そして、タイマー１５７が所定時間以内であれば（ＳＴＥＰ２２０：ＮＯ）へ処理が進み、以降、上記の動作を繰り返す。
【０２５２】
このように、本実施の形態では、繰り返し霧化状態の判定を行った上で、その結果を霧化部１３９の動作に反映するといった霧化状態のフィードバック制御を行っている。この霧化状態のフィードバック制御は例えば図１０の制御フローチャートにおいては、Ｆ１で示されているような霧化状態の判定を行う制御へと繰り返し戻るフローを指している。
【０２５３】
上記のような複雑なフローでのフィードバック制御を繰り返すことで、霧化状態判定手段１５６が動作するタイミングを設定する判定タイミング設定手段からの信号によって、霧化状態判定手段１５６が霧化部１３９の霧化状態を判定し、この霧化状態判定手段１５６によって判定した信号によって霧化部１３９の動作を制御している。
【０２５４】
これによって、タイミング設定手段によって無駄なく的確なタイミングで繰り返し霧化状態の判定を行った上で、その結果を霧化部１３９すなわち霧化装置の動作に反映するといった霧化状態のフィードバック制御を行うことにより霧化部１３９の噴霧精度を向上させ、適切な噴霧量のミスト噴霧を実現することができる。
【０２５５】
なお、結露防止ヒータ１５５は、貯蔵室内の温度調節、又は、貯蔵室内の表面の結露を防止するため結露防止ヒータ１５５との兼用で説明したが、それぞれを独立させるヒータを用いることで、冷却ピン１３４の温度調節を行うヒータの低入力ができ、更に冷却ピン１３４の温度調節がきめ細かく制御できるので、結露状態を更に安定させることで噴霧量の安定化が図れ、噴霧効率も向上させることが可能である。
【０２５６】
また、外気温度が比較的低い場合には、圧縮機１０９の運転状況に応じて、結露防止ヒータ１５５を制御するように説明したが、一定時間を刻むタイマーを設け、例えば、１０分ごとに信号を制御手段１４６へ出力し、冷却ピン１３４の温度調節を１０分間結露防止ヒータ１５５通電、１０分後に結露防止ヒータ１５５停止とすることも可能であり、また、その一定時間を検知タイミングとして霧化状態判定手段１５６を制御することで、外気温度が比較的低い場合には、庫内温度検出手段１５０の温度変動がほぼ一定温度となるため、ダンパ１４５は閉塞状態が多くなり、貯蔵室内は高湿条件になりやすいので、冷却ピン１３４の温度調節をきめ細かく制御することで、低外気温でも結露状態を作りやすくなり、噴霧効率も向上させることが可能である。
【０２５７】
以上のように、本実施の形態においては、判定タイミング設定手段は、冷蔵庫１００の貯蔵室を冷却するための圧縮機１０９であって、圧縮機１０９がＯＮからＯＦＦ、又は、ＯＦＦからＯＮの動作を行った場合に、霧化状態判定手段１５６が霧化部１３９の霧化状態を判定することで、霧化部１３９周辺の冷気の冷却状態と関連ある圧縮機１０９の動作を判定タイミングとして霧化状態の判定を行うことで、的確なタイミングで、霧化部１３９の結露状態、噴霧状態を把握でき、その霧化部１３９の噴霧判定の精度を向上することができる。
【０２５８】
これによって、圧縮機１０９のＯＮからＯＦＦ信号、又は、ＯＦＦからＯＮを検出タイミングとしたことで、霧化部１３９に水がある時は、水がなくなるまで電圧印加部１３３の高電圧の動作を行うことで、噴霧効率を向上させることができる。
【０２５９】
また、水がなくなると、電圧印加部１３３の高電圧の停止を行うことで、余分な消費電力を低減することができる。
【０２６０】
また、本実施の形態では、霧化部１３９を備えた貯蔵室内の環境が変わると推定される場合の中でも特に霧化部１３９周辺の温度状態が変化すると推定される場合を判定タイミング設定手段として、圧縮機１０９のＯＮからＯＦＦ信号、又は、ＯＦＦからＯＮを判定タイミング設定手段の判定タイミングとし、所定温度以上では、貯蔵室の温度調節を行うダンパ１４５の開から閉、又は、閉から開の動作を判定タイミング設定手段の判定タイミングとして、霧化状態判定手段１５６が霧化部１３９の霧化状態を判定することにより、外気温度が比較的低い場合には、ダンパ１４５の閉塞状態が多くなり、霧化電極１３５は過剰結露の状態になりやすいと推測できるので、外気温度によって判定タイミング設定手段の判定タイミングを変更することで、外気温度の影響をも加味して、さらに冷蔵庫１００の設置条件の変動があった場合でも、適切かつ的確なタイミングで、霧化部１３９の結露状態、噴霧状態を把握でき、その霧化部１３９の噴霧判定の精度を向上することができる。
【０２６１】
このように、本実施の形態では外気温度検出手段１４８で検出した外気温が所定温度以下の場合には、圧縮機１０９のＯＮからＯＦＦ、又は、ＯＦＦからＯＮの動作を判定タイミング設定手段の判定タイミングとすることで、外気温度が比較的低い場合には、ダンパ１４５の開閉率が大幅に減少し、閉塞状態が多くなる場合でも、主に圧縮機１０９のＯＮ／ＯＦＦをタイミング設定手段として霧化電極１３５の霧化状態を判定することによって、冷蔵庫１００の実運転状態を考慮し、より適切かつ的確なタイミングで霧化部１３９の結露状態、噴霧状態を把握でき、その霧化部１３９の噴霧判定の精度を向上することができる。
【０２６２】
なお、本実施の形態では詳細に説明を行っていないが、外気温度検出手段１４８で検出した外気温が所定温度以上では、実施の形態１で説明したような貯蔵室の温度調節を行うダンパ１４５の開から閉、又は、閉から開の動作を判定タイミング設定手段の判定タイミングとすることで、外気温が比較的高い場合には、圧縮機１０９がＯＦＦ状態になる頻度が少なく、ＯＮ状態で動作しつづけることが多い場合でも、主にダンパ１４５の開から閉、又は、閉から開をタイミング設定手段として霧化状態判定手段１５６が霧化部１３９の霧化状態を判定することで外気温度の影響をも加味して、さらに冷蔵庫１００の設置条件の変動があった場合等の冷蔵庫１００の実運転状態を考慮し、より適切かつ的確なタイミングで、霧化部１３９の結露状態、噴霧状態を把握でき、その霧化部１３９の噴霧判定の精度を向上することができる。
【０２６３】
このように、本実施の形態では、冷蔵庫１００の外気温度を検出する外気温度検出手段１４８を備え、外気温度検出手段１４８で検出した外気温によって霧化状態判定手段１５６が動作するタイミングを設定する判定タイミング設定手段を変更するものであり、外気温度の影響をも加味して、さらに冷蔵庫１００の設置条件の変動があった場合でも、適切かつ的確なタイミングで、霧化部１３９の結露状態、噴霧状態を把握でき、その霧化部１３９の噴霧判定の精度を向上することができる。
【０２６４】
また、水がなくなると、電圧印加部１３３の高電圧の停止を行うことで、次の検出タイミング後まで、電圧印加部１３３の高電圧の停止を行うので余分な消費電力を更に低減することができる。
【０２６５】
また、本実施の形態では、冷蔵庫１００の外気温度を検出する外気温度検出手段１４８を備え、外気温度検出手段１４８で検出した外気温が所定温度以下では、圧縮機１０９のＯＮからＯＦＦ信号、又は、ＯＦＦからＯＮを検出タイミングとし、所定温度以上では、貯蔵室の温度調節を行うダンパ１４５の開から閉、又は、閉から開の動作を検出タイミングとして、霧化状態が適正に噴霧されているか否かを判定することにより、外気温度が比較的低い場合には、ダンパ１４５の閉塞状態が多くなり、霧化電極１３５は過剰結露の状態になりやすいので、外気温度によって検出タイミングを変更することで、外気温度に影響されず静電霧化装置１３１の霧化効率を向上させることができる。
【０２６６】
（実施の形態３）
図１１は、本発明の実施の形態３における冷蔵庫の動作の一例を示すタイミングチャートである。図１２は、同実施の形態の冷蔵庫の制御の一例を示す制御フローチャートである。
【０２６７】
なお、実施の形態１及び実施の形態２と同一構成については、同一符号を付してその詳細な説明は省略する。
【０２６８】
詳細な動作を図１１のタイミングチャートの順に、図１２の制御フローチャートを用いて説明する。
【０２６９】
まず、タイマー１５７が動作し（ＳＴＥＰ３００）、記憶変数のＯｌｄＤＰＦＬＧに初期値：開放信号（１）を記憶させ（ＳＴＥＰ３０１）、貯蔵室内に設けられた庫内温度検出手段１５０で貯蔵室内の雰囲気温度を検出する。
【０２７０】
次に庫内温度検出手段１５０の出力信号を制御手段１４６へ入力する。庫内温度検出手段１５０がＴ０以下なら次のＳＴＥＰ３０３に進むが、Ｔ０以上ならＴ０以下になるまで、次のＳＴＥＰには移行しないような強制停止手段を備えている（図１１の破線Ｘ０のタイミング：Ａ点）。
【０２７１】
このように、本実施の形態に記載の冷蔵庫１００は、ある一定条件となるまでは静電霧化装置１３１を動作させずに停止させておく強制停止手段を備えており、例えば、庫内温度検知手段１５０で説明すると、冷蔵庫１００の電源投入時やドア開閉が頻繁にある時や、ドアが最後まで閉まっておらず隙間がある時などによる庫内温度上昇が考えられ、このように庫内温度が高い場合には、まずは庫内温度を下げる冷凍システムの運転を優先させて、静電霧化装置１３１は動作させない。
【０２７２】
この場合は、予め設定された庫内温度検出手段１５０になるまで冷却されるまで、ダンパ１４５が開状態で冷却ファン１３３の風量が高く、圧縮機１０９の運転率が上がっている為、野菜室１０７には、多量の冷気が流れ込んでくる状態であり、霧化部１３９周辺の乾燥が促進されるので、本実施の形態のような結露方式の場合には、静電霧化装置１３１を動作させても、霧化電極１３５に水が集まらないので、この状態は、静電霧化装置１３１の動作を停止し、冷却システムを優先させ、静電霧化装置１３１に掛かる消費電力を低減させ、省エネ効果を向上させている。
【０２７３】
さらに、庫内温度が高いままに噴霧を行うと、比較的温度の高いミスト粒子が庫内へ噴霧されるため、野菜等の収納物が劣化するという懸念もあり、ある一定の庫内温度となるまでは、静電霧化装置１３１の動作を停止させることが保鮮性の向上にも繋がる。
【０２７４】
また、強制停止手段によって、霜取り制御手段が動作中には静電霧化装置１３１を動作させずミスト噴霧を行わないことも有効である。この霜取り制御中とは、通常運転時に冷却器１１２の運転効率を高めるため、定期的に霜を取り除く霜取り制御手段を備えた冷蔵庫において、その霜取り制御手段動作中や停止直後には、除霜ヒータ（ラジアントヒータ１１４）を通電し、冷却器１１２に付着した霜を除霜ヒータ（ラジアントヒータ１１４）の熱で溶かし、冷却器１１２に付着した霜を取り除くものである。
【０２７５】
この場合には、霜取り制御によって、その溶かした霜によって高湿状態となった空気を野菜室１０７に流動させることで、野菜室１０７を高湿化し、後に静電霧化装置１３１が動作した場合の霧化電極１３５の結露状態を促進し、噴霧効率も向上させることが可能である。
【０２７６】
このように、強制停止手段によって、電源投入後の冷却器１１２の温度が高い場合や冷蔵室（図示せず）、冷凍室（図示せず）等の温度が高い時もある一定温度以下にならないと次のＳＴＥＰに移行せずに霧化を行わない制御を加えることで、無駄に静電霧化装置１３１や結露防止ヒータ１５５に通電することを防止し、庫内温度が高い状態における霧化装置の動作による貯蔵室内のさらなる温度上昇抑制や、それに伴う消費電力の低減が図れ、省エネルギーで霧化装置を冷蔵庫に搭載することが可能となる。
【０２７７】
ＳＴＥＰ３０２でＴ０以下ならば、次のＳＴＥＰ１０３に進み、庫内温度検出手段１５０がＴ１以上かを判定し、Ｔ１以上でなければ、（ＳＴＥＰ３０３：Ｎｏ、図１１のＢ点）へ処理が進み、再度、庫内温度検出手段１５０がＴ２以下かを判定し（ＳＴＥＰ３１７）、Ｔ２以下であれば、（ＳＴＥＰ３１７：ＹＥＳ、図１１のＢ点）へ処理が進み、ダンパ１４５が閉塞動作を出力し、その信号を制御手段１４６へ入力（ＳＴＥＰ３１８、図１１のＣ点）と共に動作信号状態を記憶変数のＮｅｗＤＰＦＬＧに閉信号（０）を記憶する（ＳＴＥＰ３１９）。
【０２７８】
そして、記憶変数に記憶されたＮｅｗＤＰＦＬＧの判定を行い、その記憶された記憶変数が閉信号（０）であれば（ＳＴＥＰ３０６：ＮＯ）に処理が進み、次に記憶されたＯｌｄＤＰＦＬＧの判定を行い、その記憶された記憶変数が開信号（１）であれば（ＳＴＥＰ３０７：ＹＥＳ）に処理が進み、ここでダンパ１４５が開信号から閉信号に変ったタイミング（図１１の破線Ｘ１のタイミング）と判定する。
【０２７９】
この時に、霧化電極１３５と対向電極１３６との間に高電圧が印加され、流れる電流値は、数μＡと非常に入力する電流値が小さいため、電流値から電圧値に変更すると、回路部品によるバラツキと部品による温度バラツキが発生し、判別する電流値の絶対値は、部品ごとに異なる。しかし、霧化量の変化に対応した電流値の変化量はこのバラツキに関わらず一定の関係を示すため、基準電圧を都度読込み比較することで、正確に霧化量を判断することが可能となる。
【０２８０】
すなわち霧化していない時の基準電圧を原点である基準値とし、変化した基準電圧から減算する事で霧化量の差分の絶対値を判断することができので、一旦、制御手段１４６から電圧印加部１３３へ高電圧の停止信号を出力し、電圧印加部１３３へ高電圧の印加を停止し（ＳＴＥＰ３０８）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧停止状態の基準値とする（ＳＴＥＰ３０９）。
【０２８１】
次に、霧化状態を判定するために静電霧化装置１３１の電圧印加部１３３へ高電圧を印加するように判断し、電圧印加部１３３へ高電圧の開始信号の出力を行う（ＳＴＥＰ３１０、図１１のＺ１点）。そして、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧動作状態の動作値とする（ＳＴＥＰ３１１）。
【０２８２】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲外であれば（ＳＴＥＰ３１２：Ｎｏ、図１１のＤ点）、適正なコロナ放電が発生していない状態と予測でき、制御手段１４６から電圧印加部１３３へ高電圧の停止信号の出力し、電圧印加部１３３へ高電圧の印加を停止する（ＳＴＥＰ３１３、図１１のＺ２）。そして、タイマー１５７の初期化を行い（ＳＴＥＰ３１４）、記憶変数のＮｅｗＤＰＦＬＧをＯｌｄＤＰＦＬＧに代入し（ＳＴＥＰ３１５）、ＳＴＥＰ３０２に戻る。
【０２８３】
タイマー１５７が所定時間経過すると（図１１の破線Ｘ２のタイミング）、（ＳＴＥＰ３０２）、庫内温度検出手段１５０がＴ０以下なら次のＳＴＥＰ３０３に進むが、Ｔ０以上ならＴ０以下になるまで、強制停止手段によって次のＳＴＥＰには移行しない（ＳＴＥＰ３０２）。
【０２８４】
そして、ＳＴＥＰ３０２でＴ０以下ならば、次のＳＴＥＰ３０３に進み、庫内温度検出手段１５０がＴ１以上かを判定し、Ｔ１以上でなければ、（ＳＴＥＰ３０３：Ｎｏ、図１１のＥ点）へ処理を進む。庫内温度検出手段１５０がＴ２以下かを判定を行い（ＳＴＥＰ３１７）、Ｔ２以下でなければ（ＳＴＥＰ３１７：Ｎｏ、図１１のＥ点）ダンパ１４５の閉信号を継続していると判定し（図１１のＦ点）、次の処理へ進む。
【０２８５】
また、ここで、図示していないが、外気温度が比較的低い場合には、ダンパ１４５の閉塞状態が多くなり、霧化電極１３５は過剰結露の状態になりやすいので、結露防止ヒータ１５５を通常より入力を上げて通電することで、結露状態及び乾燥状態を作りやすい環境に設定することもできる。
【０２８６】
そして、（ＳＴＥＰ３０６）にて、記憶変数に記憶されたＮｅｗＤＰＦＬＧの判定を行い、その記憶された記憶変数が開信号（１）でなければ（ＳＴＥＰ３０６：ＮＯ）に処理が進み、再度、記憶変数に記憶されたＯｌｄＤＰＦＬＧの判定を行い、その記憶された記憶変数が開信号（１）でなければ（ＳＴＥＰ３０７：ＮＯ）に処理が進み、ここでダンパ１４５の閉信号（０）が継続した処理が行われる。
【０２８７】
タイマー１５７が所定時間以上であるか判定を行い（ＳＴＥＰ３１６）、タイマー１５７が所定時間以上であれば（ＳＴＥＰ３１６：ＹＥＳ）、制御手段１４６から電圧印加部１３３へ高電圧の停止信号を出力し、電圧印加部１３３へ高電圧の印加を停止し（ＳＴＥＰ３０８）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧停止状態の基準値とする（ＳＴＥＰ３０９）。
【０２８８】
次に、霧化状態を判定するために静電霧化装置１３１の電圧印加部１３３へ高電圧を印加するように判断し、電圧印加部１３３へ高電圧の開始信号の出力を行う（ＳＴＥＰ３１０、図１１のＺ３点）。そして、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧動作状態の動作値とする（ＳＴＥＰ３１１）。
【０２８９】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲外であれば（ＳＴＥＰ３１２：Ｎｏ、図１１のＧ点）、霧化電極１３５では、適正なコロナ放電が発生していない状態と判断し、制御手段１４６から電圧印加部１３３へ高電圧の停止信号の出力を行う（ＳＴＥＰ３１３、図１１のＺ４点）。そして、タイマー１５７の初期化を行い（ＳＴＥＰ３１４）、記憶変数のＮｅｗＤＰＦＬＧをＯｌｄＤＰＦＬＧに代入し（ＳＴＥＰ３１５）、ＳＴＥＰ３０２に戻る。
【０２９０】
次にタイマー１５７が所定時間経過すると（図１１の破線Ｘ３のタイミング）、（ＳＴＥＰ３０２）、庫内温度検出手段１５０がＴ０以下ならば次のＳＴＥＰ３０３に進むが、Ｔ０以上ならＴ０以下になるまで、次のＳＴＥＰには移行しない（ＳＴＥＰ３０２）。
【０２９１】
そして、ＳＴＥＰ３０２でＴ０以下ならば、次のＳＴＥＰ３０３に進み、庫内温度検出手段１５０がＴ１以上かを判定し、Ｔ１以上でなければ、（ＳＴＥＰ３０３：Ｎｏ、図１１のＨ点）へ処理が進み、再度、庫内温度検出手段１５０がＴ２以上かを判定を行い（ＳＴＥＰ３１７）、Ｔ２以下でなければ（ＳＴＥＰ３１７：Ｎｏ、図１１のＨ点）ダンパ１４５の閉信号を継続していると判定し（図１１のＩ点）、次の処理へ進む。
【０２９２】
また、ここで、図示していないが、外気温度が比較的低い場合には、ダンパ１４５の閉塞状態が多くなり、霧化電極１３５は過剰結露の状態になりやすいので、結露防止ヒータ１５５を通常より入力を上げて通電することで、結露状態及び乾燥状態を作りやすい環境に設定することもできる。
【０２９３】
次に（ＳＴＥＰ３０６）にて、記憶変数に記憶されたＮｅｗＤＰＦＬＧの判定を行い、その記憶された記憶変数が開信号（１）でなければ（ＳＴＥＰ３０６：ＮＯ）に処理が進み、記憶されたＯｌｄＤＰＦＬＧの判定を行い、記憶変数が開信号（１）でなければ（ＳＴＥＰ３１４：ＮＯ）に処理が進み、ここでダンパ１４５の閉信号（０）が継続した処理が行われる。
【０２９４】
そして、タイマー１５７が所定時間以上であるか判定を行い（ＳＴＥＰ３１６）、タイマー１５７が所定時間以上であれば（ＳＴＥＰ３１６：ＹＥＳ）、制御手段１４６から電圧印加部１３３へ高電圧の停止信号を出力し、電圧印加部１３３へ高電圧の印加を停止し（ＳＴＥＰ３０８）、霧化電極１３５と対向電極１３６との間に高電圧が印加され、その電極間に流れる電流（放電電流）又は、印加される電圧（放電電圧）を出力検出手段１５８で検出し、制御手段１４６へ入力し、これを高電圧停止状態の基準値とする（ＳＴＥＰ３０９）。
【０２９５】
次に、霧化状態を判定するために静電霧化装置１３１の電圧印加部１３３へ高電圧を印加するように判断し、電圧印加部１３３へ高電圧の開始信号の出力を行う（ＳＴＥＰ３１０、図１１のＺ５点）。霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ３１１）。
【０２９６】
そして、制御手段１４６では、高電圧停止状態の基準値から高電圧動作状態の動作値を差分した値が、予め記憶されている電流、又は、印加される電圧の上限値Ｙ１と下限値Ｙ２間の範囲内に入っているか判定を行い、範囲内であれば（ＳＴＥＰ３１２：ＹＥＳ、図１１のＪ点）、霧化電極１３５にて適正なコロナ放電が発生し、霧化状態となっている状態と判断する。そして、再度、霧化電極１３５と対向電極１３６との間に高電圧が印加され、その流れる電流（放電電流）又は、印加される電圧（放電電圧）を出力検出手段１５８で検出し、制御手段１４６へ入力し、これを高電圧動作状態の動作値とする（ＳＴＥＰ３１１）。
【０２９７】
次に制御手段１４６では、高電圧停止状態の基準値から高電圧動作状態の動作値を差分した値が、予め記憶されている電流、又は、印加される電圧の上限値Ｙ１と下限値Ｙ２間の範囲外になるまで、次のＳＴＥＰには、移行しない（ＳＴＥＰ３１２：ＹＥＳ、図１１のＪ点、破線Ｘ４のタイミング）。この状態でも、庫内温度が上昇し、庫内検知温度がＴ１以上になると（図１１のＫ点）、記憶変数のＮｅｗＤＰＦＬＧに開信号（１）を記憶する（ＳＴＥＰ３２０）、そして、ダンパ１４５は閉塞状態から開放状態となり（図１１のＬ）比較的乾いた空気が流動し、水があれば霧化を継続動作させると共に霧化電極１３５の乾燥を促進させることで、結露しやすい条件を作ることで結露状態を安定的にすることも可能である。
【０２９８】
このとき、図示しないが、閉塞ループ状態となるため、タイムセーフを設け、所定時間霧化状態が継続したら、再度、高電圧停止状態の基準値を入力することで、万が一外乱影響による誤作動があっても、霧化状態を停止すること可能であり、霧化装置誤動作による貯蔵室内の温度上昇抑制や消費電力の低減、省エネルギーが可能となる。
【０２９９】
なお、図示しないが、貯蔵室の扉が開いた状態を制御手段１４６で検知した時は、電圧印加部１３３の高電圧を停止する信号を出力し、静電霧化装置１３１の高電圧の出力を停止する。これにより、貯蔵室内の扉が開いている状態での霧化発生を停止することで、貯蔵室内の壁面結露を防止し、万が一、使用者が静電霧化装置１３１に触っても感電による不快感を防止することができる。
【０３００】
そして、予め記憶されている電流、又は、印加される電圧の上限値Ｙ１と下限値Ｙ２間の範囲外になれば（ＳＴＥＰ３１２：Ｎｏ、図１１のＭ点、破線Ｘ５のタイミング）、霧化電極１３５では適正なコロナ放電が発生していない状態と判断し、制御手段１４６から電圧印加部１３３へ高電圧の停止信号の出力を行う（ＳＴＥＰ３１３、図１１のＺ６点）。
【０３０１】
そして、タイマー１５７の初期化を行い（ＳＴＥＰ３１４）、記憶変数のＮｅｗＤＰＦＬＧをＯｌｄＤＰＦＬＧに代入し（ＳＴＥＰ３１５）、ＳＴＥＰ３０２に戻る。
【０３０２】
破線Ｘ５から破線Ｘ６のタイミング間は、以下の動作を行い、ＳＴＥＰ３０２でＴ０以下ならば、次のＳＴＥＰ３０３に進み、庫内温度検出手段１５０がＴ１以上かを判定し、Ｔ１以上でなければ、（ＳＴＥＰ３０３：Ｎｏ）へ処理を進む。庫内温度検出手段１５０がＴ２以下かを判定を行い（ＳＴＥＰ３１７）、Ｔ２以下でなければ（ＳＴＥＰ３１７：Ｎｏ）ダンパ１４５の開信号を継続していると判定し、次の処理へ進む。
【０３０３】
（ＳＴＥＰ３０６）にて、記憶変数に記憶されたＮｅｗＤＰＦＬＧの判定を行い、その記憶された記憶変数が開信号（１）であれば（ＳＴＥＰ３０６：ＹＥＳ）に処理が進み、記憶されたＯｌｄＤＰＦＬＧの判定を行い、記憶変数が開信号（１）であれば（ＳＴＥＰ３２１：Ｎｏ）に処理が進み、記憶変数が閉信号（０）であれば（ＳＴＥＰ３２１：ＹＥＳ）へ処理が進み、以降、上記の動作を繰り返す。
【０３０４】
以上のように、本実施の形態においては、適正な噴霧が行われていると判定したときは、タイミング設定手段の動作するタイミングで霧化部１３９の霧化状態を判定するのではなく、常に出力検出手段１５８で検出した値をリニアで常時監視できるようにモニタリングして、霧化状態が適正は範囲内（適正な範囲については実施の形態１および２で説明した図５（ｂ）でも霧化発生状態（１）の範囲を用いる）にあるかどうかを常時霧化状態判定手段１５６で判断しており、適正な噴霧が行われていないと判定した時に、電圧印加部１３３への通電を停止した後には、タイミング設定手段の動作するタイミングで霧化部１３９の霧化状態を判定して出力検出手段１５８で検出した値によって霧化が再開される範囲になるまでタイミング設定手段の動作するタイミングで霧化部１３９の霧化状態を判定することでさらに精度よく霧化状態の動作／停止を判別できる。
【０３０５】
これによって、ミストが噴霧されている状態においては、常に噴霧量が監視されて適正範囲内に入るように制御されているので、更に適切かつ的確なタイミングで、霧化部１３９の結露状態、噴霧状態を把握でき、その霧化部１３９の噴霧判定の精度を向上することができる。また、このように、適切な霧化を行うことで冷蔵庫に霧化装置を搭載した場合でも消費電力を低減し、省エネルギーを実現した冷蔵庫を提供することができる。
【産業上の利用可能性】
【０３０６】
以上のように、本発明にかかる冷蔵庫は、貯蔵室内で適切な霧化を実現することができるので、家庭用又は業務用冷蔵庫もしくは野菜専用庫に対して実施することはもちろん、野菜などの食品低温流通、倉庫などの用途にも適用できる。
【図面の簡単な説明】
【０３０７】
【図１】本発明の実施の形態１における冷蔵庫の縦断面図
【図２】同実施の形態の冷蔵庫における野菜室とその周辺部の要部正面図
【図３】図２のＡ−Ａ線断面図
【図４】同実施の形態における冷蔵庫の機能ブロック図
【図５】（ａ）同実施の形態の冷蔵庫における静電霧化装置の放電電圧と放電電流との関係を示す特性図（ｂ）同実施の形態の冷蔵庫における静電霧化装置の出力検知手段と放電電流との関係を示す特性図
【図６】同実施の形態の冷蔵庫の動作の一例を示すタイミングチャート
【図７】同実施の形態の冷蔵庫の制御の一例を示すフローチャート
【図８】本発明の実施の形態２における冷蔵庫の機能ブロック図
【図９】同実施の形態の冷蔵庫の動作の一例を示すタイミングチャート
【図１０】同実施の形態の冷蔵庫の制御の一例を示すフローチャート
【図１１】本発明の実施の形態３における冷蔵庫の動作の一例を示すタイミングチャート
【図１２】同実施の形態の冷蔵庫の制御の一例を示す制御フローチャート
【図１３】従来の冷蔵庫の野菜室の縦断面図
【図１４】従来の冷蔵庫の野菜室に設けた超音波霧化装置の要部を示す拡大斜視図
【符号の説明】
【０３０８】
１００  冷蔵庫
１０７  野菜室（貯蔵室）
１０９  圧縮機
１３１  静電霧化装置
１３３  電圧印加部
１３９  霧化部
１４５  ダンパ
１４８  外気温度検出手段
１５６  霧化状態判定手段
１５７  タイマー
１５８  出力検出手段
【図７】
0005301141.tif 000002
【図１０】
0005301141.tif 000003
【図１２】
0005301141.tif 000004
【図１】
0005301141.tif 000005
【図２】
0005301141.tif 000006
【図３】
0005301141.tif 000007
【図４】
0005301141.tif 000008
【図５】
0005301141.tif 000009
【図６】
0005301141.tif 000010
【図８】
0005301141.tif 000011
【図９】
0005301141.tif 000012
【図１１】
0005301141.tif 000013
【図１３】
0005301141.tif 000014
【図１４】
0005301141.tif 000015